(57)【特許請求の範囲】
【請求項１】
始動口への入球検知に基づく遊技演出を実行する演出実行手段を備え、前記遊技演出の実行に伴って当りを認識できる図柄を導出した後に当り遊技状態を付与するようになっており、前記遊技演出の実行に伴って前記当り遊技状態を含む遊技者に有利な遊技状態が付与される付与期待度を示す特定演出を伴って、図柄を変動表示させる単位変動演出を複数回にわたって連続して行う特殊変動演出を実行する遊技機であって、
前記始動口への入球検知を契機として、その入球検知に基づく遊技演出の実行に伴って前記有利な遊技状態が付与されるか否かを判定する付与判定手段と、
前記付与判定手段の判定結果に基づいて、前記特殊変動演出を構成する各単位変動演出における特定演出の演出内容として、前記付与期待度に応じて複数段階に設定された演出内容のうちから演出内容を決定する演出内容決定手段と、
前記演出内容決定手段が決定した前記特定演出の演出内容に基づいて特定演出実行手段を制御し、前記特定演出を実行させる特定演出制御手段と、
前記特定演出の実行に伴って、その実行された特定演出の演出内容を示す特定演出情報を前記特定演出の履歴として提示する履歴提示手段と、を備え、
前記特定演出は、前記当り遊技状態の付与に伴って、遊技者に有利な特典が付与される特典期待度をさらに示すようになっており、
前記特定演出の演出内容には、第１演出内容と、第２演出内容と、第３演出内容とを含み、前記第２演出内容及び前記第３演出内容には、前記第１演出内容と比較して高い付与期待度が設定されているとともに、前記第３演出内容には、前記第２演出内容と比較して高い特典期待度が設定されている遊技機。
【請求項２】
前記付与判定手段は、前記始動口への入球検知のときに、前記有利な遊技状態が付与されるか否かを判定するようになっており、
前記遊技演出は、図柄を変動表示させる図柄変動ゲームを含み、前記単位変動演出は、前記図柄変動ゲームであり、
前記特定演出制御手段は、前記付与判定手段が判定したときに実行が保留されている図柄変動ゲームを対象とし、該対象とした図柄変動ゲームにおいて前記特定演出を実行させることにより前記特殊変動演出を実行させる請求項１に記載の遊技機。
【請求項３】
前記特殊変動演出の対象とされた各図柄変動ゲームを遊技者に報知する対象報知演出を実行可能な対象報知手段をさらに備えた請求項１又は請求項２に記載の遊技機。
【請求項４】
前記履歴提示手段は、前記特定演出情報を提示してから、その提示した特定演出情報を、前記特殊変動演出を構成する単位変動演出のうち最終回の単位変動演出において前記特定演出が終了する迄の間、継続して提示する請求項１〜請求項３のうち何れか一項に記載の遊技機。
【請求項５】
前記履歴提示手段は、前記特定演出実行手段とは別体に設けられているとともに、前記特殊変動演出を構成する各単位変動演出に各別に対応付けた複数の履歴提示部を備え、
前記履歴提示手段は、前記単位変動演出で実行された特定演出の特定演出情報を、今回の単位変動演出に対応付けた履歴提示部により他の履歴提示部から独立させて提示する請求項１〜請求項４のうち何れか一項に記載の遊技機。
【発明の詳細な説明】
【技術分野】
【０００１】
特定演出を伴って図柄を変動表示させる単位変動演出を複数回にわたって連続して行う特殊変動演出を実行する遊技機に関する。
【背景技術】
【０００２】
従来から、遊技機の一種であるパチンコ遊技機では、図柄を変動させる図柄変動ゲームを演出表示手段にて行い、該図柄変動ゲームで大当りを認識できる図柄（例えば［７７７］の図柄組み合わせなど）を導出した後に大当り遊技状態を付与することが行われている。そして、パチンコ遊技機では、図柄変動ゲームにおける興趣向上を目的として、大当り図柄が導出される可能性のあることを遊技者に予告する大当り予告演出を行っている。このような、大当り予告演出の１つとして、複数回の図柄変動ゲーム毎に特定演出を実行することで複数回の図柄変動ゲームを跨いだ特殊変動演出を実行可能なパチンコ遊技機が提案されている（例えば、特許文献１）。
【０００３】
特許文献１のパチンコ遊技機では、始動入賞口への遊技球の入球検知時に大当りか否かを決定するとともに、大当りと事前に決定された図柄変動ゲーム迄に実行される１回又は複数回の図柄変動ゲーム毎に特定演出（キャラクタの表示や、音声出力）を行い、特殊変動演出を実行する。このため、特許文献１のパチンコ遊技機では、図柄変動ゲームにおいて特定演出（特殊変動演出）が実行されることにより、大当り遊技状態が付与されることに期待する遊技者の興趣を高めている。
【先行技術文献】
【特許文献】
【０００４】
【特許文献１】特開平９−７００号公報
【発明の概要】
【発明が解決しようとする課題】
【０００５】
また、上記特殊変動演出の別の実行態様として、１回の図柄変動ゲームにおいて、図柄を変動表示させる変動サイクルを複数回にわたって実行するものが知られている。以下、特殊変動演出を構成する図柄変動ゲーム、及び変動サイクルを単に「単位変動演出」と示す。このような、特殊変動演出では、一般に大当りとなるか否かに応じて、各単位変動演出で実行させる特定演出の演出内容を異ならせることが行われている。しかしながら、特許文献１の遊技機を含め、従来の遊技機では、特定演出の演出内容が図柄変動ゲーム毎に変化するものであり、各単位変動演出で実行された特定演出の演出内容を総合して遊技の展開（大当りとなるか否かなど）を推測するためには、過去の特定演出の演出内容を全て覚えておく必要がある。このため、従来の遊技機では、特定演出の演出内容を総合して遊技の展開を把握することが難しかった。
【０００６】
本発明は、上記従来技術に存在する問題点に着目してなされたものであり、その目的は、特定演出の演出内容から遊技の展開を把握し易くできる遊技機を提供することにある。
【課題を解決するための手段】
【０００７】
上記問題点を解決するために、請求項１に記載の発明は、始動口への入球検知に基づく遊技演出を実行する演出実行手段を備え、前記遊技演出の実行に伴って当りを認識できる図柄を導出した後に当り遊技状態を付与するようになっており、前記遊技演出の実行に伴って前記当り遊技状態を含む遊技者に有利な遊技状態が付与される付与期待度を示す特定演出を伴って、図柄を変動表示させる単位変動演出を複数回にわたって連続して行う特殊変動演出を実行する遊技機であって、前記始動口への入球検知を契機として、その入球検知に基づく遊技演出の実行に伴って前記有利な遊技状態が付与されるか否かを判定する付与判定手段と、前記付与判定手段の判定結果に基づいて、前記特殊変動演出を構成する各単位変動演出における特定演出の演出内容として、前記付与期待度に応じて複数段階に設定された演出内容のうちから演出内容を決定する演出内容決定手段と、前記演出内容決定手段が決定した前記特定演出の演出内容に基づいて特定演出実行手段を制御し、前記特定演出を実行させる特定演出制御手段と、前記特定演出の実行に伴って、その実行された特定演出の演出内容を示す特定演出情報を前記特定演出の履歴として提示する履歴提示手段と、を備え、前記特定演出は、前記当り遊技状態の付与に伴って、遊技者に有利な特典が付与される特典期待度をさらに示すようになっており、前記特定演出の演出内容には、第１演出内容と、第２演出内容と、第３演出内容とを含み、前記第２演出内容及び前記第３演出内容には、前記第１演出内容と比較して高い付与期待度が設定されているとともに、前記第３演出内容には、前記第２演出内容と比較して高い特典期待度が設定されていることを要旨とする。
請求項２に記載の発明は、請求項１に記載の遊技機において、前記付与判定手段は、前記始動口への入球検知のときに、前記有利な遊技状態が付与されるか否かを判定するようになっており、前記遊技演出は、図柄を変動表示させる図柄変動ゲームを含み、前記単位変動演出は、前記図柄変動ゲームであり、前記特定演出制御手段は、前記付与判定手段が判定したときに実行が保留されている図柄変動ゲームを対象とし、該対象とした図柄変動ゲームにおいて前記特定演出を実行させることにより前記特殊変動演出を実行させることを要旨とする。
【０００８】
請求項３に記載の発明は、請求項１又は請求項２に記載の遊技機において、前記特殊変動演出の対象とされた各図柄変動ゲームを遊技者に報知する対象報知演出を実行可能な対象報知手段をさらに備えたことを要旨とする。
請求項４に記載の発明は、請求項１〜請求項３の何れか一項に記載の遊技機において、前記履歴提示手段は、前記特定演出情報を提示してから、その提示した特定演出情報を、前記特殊変動演出を構成する単位変動演出のうち最終回の単位変動演出において前記特定演出が終了する迄の間、継続して提示することを要旨とする。
【００１１】
請求項５に記載の発明は、請求項１〜請求項４のうち何れか一項に記載の遊技機において、前記履歴提示手段は、前記特定演出実行手段とは別体に設けられているとともに、前記特殊変動演出を構成する各単位変動演出に各別に対応付けた複数の履歴提示部を備え、前記履歴提示手段は、前記単位変動演出で実行された特定演出の特定演出情報を、今回の単位変動演出に対応付けた履歴提示部により他の履歴提示部から独立させて提示することを要旨とする。
【発明の効果】
【００１２】
本発明によれば、特定演出の演出内容から遊技の展開を把握し易くできる。
【図面の簡単な説明】
【００１３】
【図１】パチンコ遊技機の遊技盤を示す正面図。
【図２】連続演出の実行態様を示す模式図。
【図３】パチンコ遊技機の電気的構成を示すブロック図。
【図４】変動パターンを示す説明図。
【図５】先読みコマンド出力処理を示すフローチャート。
【図６】演出設定処理を示すフローチャート。
【図７】連続演出振分用テーブルを示す説明図。
【図８】（ａ）〜（ｄ）は、連続演出の実行態様を示す説明図。
【図９】（ａ）〜（ｄ）は、連続演出の実行態様を示す説明図。
【発明を実施するための形態】
【００１４】
以下、本発明を具体化したパチンコ遊技機について図１〜図９にしたがって説明する。
図１に示すように、パチンコ遊技機の遊技盤１０のほぼ中央には、遊技盤１０に開口形成された取付窓１０ａに整合させて液晶ディスプレイ型の画像表示部ＧＨを有する演出表示装置１１が配設されている。演出表示装置１１には、複数列（本実施形態では３列）の図柄列を変動させて行う遊技演出としての図柄変動ゲームを含み、該ゲームに関連して実行される各種の表示演出が画像表示される。本実施形態では、演出表示装置１１が演出実行手段、及び演出表示手段として機能する。本実施形態において演出表示装置１１の図柄変動ゲームでは、複数列（本実施形態では３列）の図柄からなる図柄組み合わせを導出する。なお、演出表示装置１１の図柄変動ゲームは、表示演出を多様化するための飾り図柄（演出図柄）を用いて行われる。また、演出表示装置１１の右下には、７セグメント型の特別図柄表示装置１２が配設されている。特別図柄表示装置１２では、複数種類の特別図柄を変動させて表示する図柄変動ゲームが行われる。特別図柄は、当りとしての大当りか否かの内部抽選（大当り抽選）の結果を示す報知用の図柄である。本実施形態において、図柄変動ゲームは、各表示装置１１，１２において、図柄の変動開始から図柄が確定停止表示される迄を１回として実行される。
【００１５】
そして、演出表示装置１１には、特別図柄表示装置１２の表示結果に応じた表示結果が表示される。具体的に言えば、特別図柄表示装置１２に大当りを認識できる大当り図柄（大当り表示結果）が確定停止表示される場合には、演出表示装置１１にも大当り図柄（大当り表示結果）が確定停止表示される。また、特別図柄表示装置１２にはずれを認識できるはずれ図柄（はずれ表示結果）が確定停止表示される場合には、演出表示装置１１にもはずれ図柄（はずれ表示結果）が確定停止表示される。なお、演出表示装置１１に確定停止表示される大当り図柄は、全列の飾り図柄が同一図柄となる図柄組み合わせによって構成される（例えば［２２２］や［７７７］など）。また、演出表示装置１１に確定停止表示されるはずれ図柄は、全列の飾り図柄が異なる飾り図柄となる図柄組み合わせや、１列の飾り図柄が他の２列の飾り図柄とは異なる飾り図柄となる図柄組み合わせによって構成される。また、演出表示装置１１では、遊技者側から見て左列→右列→中列の順に図柄列の変動が停止するようになっており、特定の２列（本実施形態では左右の２列）に同一の飾り図柄が一旦停止表示された場合、リーチが形成される。ここで、一旦停止表示とは、画像表示部ＧＨにおいてゆれ変動状態で表示されている状態であり、画像表示部ＧＨにおいて図柄が確定停止している確定停止表示とは区別される。本実施形態では、複数列の図柄列のうち左列が第１停止列、右列が第２停止列（直前停止列）、中列が第３停止列（最終停止列）となり、左列及び右列がリーチを形成するリーチ形成列となる。
【００１６】
特別図柄表示装置１２の上方には、複数個（本実施形態では２個）の特別図柄保留発光部を備えた特別図柄保留表示装置１３が配設されている。特別図柄保留表示装置１３は、機内部で記憶した特別図柄用の始動保留球の記憶数（以下「保留記憶数」と示す）を遊技者に報知する。保留記憶数は、遊技盤１０に配設した後述の始動入賞口に遊技球が入球することで１加算される一方で、図柄変動ゲームの開始により１減算される。したがって、図柄変動ゲーム中に始動入賞口へ遊技球が入球すると、保留記憶数は更に加算されるとともに、所定の上限数（本実施形態では４個）まで累積される。保留記憶数は、実行保留中の図柄変動ゲームの実行回数となる。また、演出表示装置１１の画像表示部ＧＨにおいて、その下方部には、機内部で記憶した保留記憶数を報知する保留球画像Ｇｈを画像表示するための保留表示領域Ｒが設定されている。本実施形態において、保留表示領域Ｒには、機内部で記憶した保留記憶数と等しい個数の保留球画像Ｇｈが画像表示され、遊技者に対し保留記憶数を報知する。なお、本実施形態の保留球画像Ｇｈは、白色の球体を模したキャラクタ画像とされている（図１及び図２において白抜きの丸で示す）。
【００１７】
特別図柄表示装置１２の上方には、普通図柄表示装置１４が配設されている。普通図柄表示装置１４では、複数種類の普通図柄を変動させて１つの普通図柄を導出する普通図柄変動ゲーム（以下「普図ゲーム」と示す）が行われる。本実施形態の普通図柄表示装置１４は、図示しない発光体（ＬＥＤやランプなど）をレンズカバーで覆って構成した複数個（本実施形態では２個）の普通図柄表示部から構成されている。普通図柄表示装置１４では、大当りか否かの大当り抽選とは別に行う普図当りか否かの内部抽選（後述する普図当り抽選）の抽選結果を表示する。すなわち、普図当り抽選に当選した場合には、普図ゲームで普通図柄の当り図柄（本実施形態では左側の普通図柄表示部が点灯）が確定停止表示（導出）される。一方、普図当り抽選に当選しない場合（はずれの場合）には、普通図柄のはずれ図柄（本実施形態では右側の普通図柄表示部が点灯）が確定停止表示（導出）される。
【００１８】
演出表示装置１１の下方には、遊技球の入球口１５ａを有する始動入賞口１５が配設されている。始動入賞口１５は普通電動役物とされ、図示しないアクチュエータ（ソレノイド、モータなど）の作動により開閉動作を行う開閉羽根１６を備えている。始動入賞口１５は、開閉羽根１６の開動作により入口が拡大されて遊技球が入球（入賞）し易い開状態とされる一方で、開閉羽根１６の閉動作により入口が拡大されずに遊技球が入球（入賞）し難い閉状態とされる。そして、始動入賞口１５の奥方には入球した遊技球を検知する始動口スイッチＳＷ１（図３に示す）が配設されている。始動入賞口１５は、入球した遊技球を始動口スイッチＳＷ１で入球検知することにより、図柄変動ゲームの始動条件と予め定めた個数の賞球としての遊技球の払出条件を付与し得る。
【００１９】
また、始動入賞口１５の下方には、図示しないアクチュエータ（ソレノイド、モータなど）の作動により開閉動作を行う大入賞口扉１７を備えた大入賞口（特別電動役物）１８が配設されている。大入賞口１８の奥方には、入球した遊技球を検知するカウントスイッチＳＷ２（図３に示す）が配設されている。大入賞口１８は、入球した遊技球を検知することにより、予め定めた個数（例えば１０個）の賞球としての遊技球の払出条件を付与し得る。大入賞口１８は、大当り遊技中に大入賞口扉１７の開動作によって開放されることで遊技球の入球が許容される。このため、大当り遊技中、遊技者は、賞球を獲得できるチャンスを得ることができる。本実施形態では、大当り遊技が遊技者に有利な遊技状態としての当り遊技状態となる。なお、大当り遊技の内容については後述する。
【００２０】
また、演出表示装置１１の左方には、普通図柄作動ゲート（以下「ゲート」と示す）１９が配設されている。ゲート１９の奥方には、入球し通過した遊技球を検知するゲートスイッチＳＷ３（図３に示す）が配設されている。ゲート１９は、遊技球の通過を契機に、普図ゲームの始動条件（普図当り抽選の抽選契機）のみを付与し得る。
【００２１】
また、遊技盤１０において遊技者から見て前面側には、遊技者から見て左右に延びる略長方形の枠状をなし各種の装飾を施された枠体としての装飾枠２０が取付窓１０ａに整合させて組み付けられている。換言すれば、装飾枠２０は、演出表示装置１１を遊技盤１０に取り付けるための開口部を形成し、遊技者から見て演出表示装置１１の画像表示部ＧＨを全周にわたって囲うように配設されている。また、装飾枠２０において演出表示装置１１の右上部には、図示しないフルカラーＬＥＤを装飾レンズで覆って形成した４個の発光部Ｌ１〜Ｌ４からなる履歴表示装置Ｌが配設されている。履歴表示装置Ｌの各発光部Ｌ１〜Ｌ４は、装飾枠２０の右上部において、遊技者から見て演出表示装置１１に隣接し、且つ演出表示装置１１（画像表示部ＧＨ）を囲うように一列に配置されている。各発光部Ｌ１〜Ｌ４は、内蔵されたフルカラーＬＥＤを発光させることにより、それぞれ独立して所定色に発光可能に構成されている。具体的に説明すると、図２に示すように、各発光部Ｌ１〜Ｌ４は、それぞれ白色（白抜きの丸で示す）、青色（左下がり斜線で示す）、緑色（右下がり斜線で示す）、及び赤色（横縞で示す）で発光可能に構成されている。なお、本実施形態において各発光部Ｌ１〜Ｌ４は、常には白色に点灯されている。
【００２２】
また、装飾枠２０において演出表示装置１１の右下部には、遊技者から見て画像表示部ＧＨの前面側に重なるように、所定のキャラクタ（本実施形態では竜）を模った装飾部材ＲＹが配置されている。また、装飾枠２０の内側下辺部には、装飾枠２０の外周面に開口形成された図示しないワープ口に入球した遊技球を始動入賞口１５（入球口１５ａ）へ誘導するためのステージＳＴが形成されている。このステージＳＴは、演出表示装置１１の画像表示部ＧＨの下方に位置するように、遊技者から見て左右方向に延びるように設けられている。
【００２３】
本実施形態のパチンコ遊技機では、始動保留球に基づき連続して実行される複数回の図柄変動ゲームを対象とし、その対象とした図柄変動ゲーム毎に特定演出を実行する特殊変動演出としての連続演出を実行可能に構成されている。本実施形態では、保留記憶数の上限数（本実施形態では４個）に対応する４回の図柄変動ゲームを上限として連続演出を実行可能であるとともに、連続演出の対象とされた各図柄変動ゲームにおいて特定演出を１回、実行させる。なお、以下の説明では、連続演出の対象とされた図柄変動ゲームのうち、最後の図柄変動ゲームを単に「最終回の図柄変動ゲーム」と示す場合がある。本実施形態では、連続演出の対象とされた各図柄変動ゲームが単位変動演出となる。
【００２４】
ここで、本実施形態のパチンコ遊技機で実行される特定演出について説明する。図２に示すように、１回の特定演出は、演出表示装置１１において装飾部材ＲＹから所定色の球体を模した球体画像Ｇｇが出現する様子を画像表示させる（矢印Ｙ０に示す）とともに、この球体画像Ｇｇが履歴表示装置Ｌを構成する発光部Ｌ１〜Ｌ４の何れかに向かって移動する様子を画像表示して行われる（矢印Ｙ１〜Ｙ４に示す）。具体的に言えば、連続演出の対象とされた図柄変動ゲームのうち１回目の図柄変動ゲームでは、所定色の球体画像Ｇｇが出現するとともに発光部Ｌ１へ向かって移動するように特定演出が実行される（矢印Ｙ１に示す）。また、連続演出の対象とされた図柄変動ゲームのうち２回目の図柄変動ゲームでは、所定色の球体画像Ｇｇが出現するとともに発光部Ｌ２へ向かって移動するように特定演出が実行される（矢印Ｙ２に示す）。連続演出の対象とされた図柄変動ゲームのうち３回目の図柄変動ゲームでは、所定色の球体画像Ｇｇが出現するとともに発光部Ｌ３へ向かって移動するように特定演出が実行される（矢印Ｙ３に示す）。連続演出の対象とされた図柄変動ゲームのうち４回目の図柄変動ゲームでは、所定色の球体画像Ｇｇが出現するとともに発光部Ｌ４へ向かって移動するように特定演出が実行される（矢印Ｙ４に示す）。そして、本実施形態の特定演出では、球体画像Ｇｇの所定色として、青色（図９において左下がり斜線で示す）、緑色（図９において右下がり斜線で示す）、及び赤色（図９において横縞で示す）が設定されている。なお、本実施形態の特定演出は、演出表示装置１１において、図柄変動ゲームの開始（図柄の変動開始）から左列（第１停止列）に図柄が一旦停止表示される迄の間に実行される。本実施形態では、球体画像Ｇｇに設定された「色」が特定演出の演出内容となる。また、特定演出（球体画像Ｇｇ）を画像表示する演出表示装置１１が特定演出実行手段として機能する。
【００２５】
また、本実施形態では、履歴表示装置Ｌ（発光部Ｌ１〜Ｌ４）を用いて、図柄変動ゲームで実行された特定演出の履歴を提示可能に構成されている。以下、具体的に説明する。
本実施形態では、履歴表示装置Ｌを構成する各発光部Ｌ１〜Ｌ４が連続演出の対象とされた各図柄変動ゲームに各別に対応付けられている。すなわち、本実施形態では、連続演出の対象とされた図柄変動ゲームのうち１回目の図柄変動ゲームには発光部Ｌ１が、２回目の図柄変動ゲームには発光部Ｌ２が、３回目の図柄変動ゲームには発光部Ｌ３が、４回目の図柄変動ゲームには発光部Ｌ４が対応付けられている。そして、本実施形態では、連続演出の対象とされた図柄変動ゲームのうち、１回目の図柄変動ゲームで特定演出が実行されると、特定演出の実行に伴って画像表示された球体画像Ｇｇに対応する色（同一色）で発光部Ｌ１が点灯される。例えば、１回目の図柄変動ゲームにおいて、特定演出として赤色の球体画像Ｇｇを画像表示させた場合、特定演出の実行に伴って発光部Ｌ１の発光色を白色から赤色に変化させる。同様に、本実施形態では、連続演出の対象とされた図柄変動ゲームのうち、２回目〜４回目の図柄変動ゲームで特定演出が実行されると、各特定演出の実行に伴って画像表示された球体画像Ｇｇに対応する色（同一色）で、今回の図柄変動ゲームに対応付けられた履歴表示装置Ｌの発光部が点灯される。
【００２６】
このように、本実施形態では、連続演出の対象とされた図柄変動ゲームにおいて特定演出が実行される毎に、その実行された特定演出における球体画像Ｇｇと同一色で履歴表示装置Ｌの発光部Ｌ１〜Ｌ４が点灯されることにより、特定演出の履歴が提示される。したがって、本実施形態では、発光部Ｌ１〜Ｌ４の点灯色が特定演出の演出内容（演出内容の段階）を示す特定演出情報となる。また、本実施形態では、各発光部Ｌ１〜Ｌ４が履歴提示部を構成するとともに、履歴表示装置Ｌが履歴提示手段となる。
【００２７】
また、本実施形態のパチンコ遊技機では、連続演出の対象とされた図柄変動ゲーム（始動保留球）を遊技者に報知するための対象報知演出を実行可能に構成されている。対象報知演出は、演出表示装置１１に画像表示される保留球画像Ｇｈの表示態様を変化させて行われる。具体的に言えば、本実施形態の対象報知演出は、連続演出の対象とされた図柄変動ゲーム（始動保留球）に対応する保留球画像Ｇｈの表示態様を、白色の球体を模したキャラクタ画像から金色の球体を模したキャラクタ画像（図２において薄墨色の丸で示す）に切り替えて行われる。本実施形態では、保留球画像Ｇｈを画像表示する演出表示装置１１が対象報知手段として機能する。
【００２８】
また、本実施形態のパチンコ遊技機は、大当り遊技終了後に大当り抽選の当選確率（抽選確率）を低確率から高確率に変動（向上）させる確率変動（以下「確変」と示す）状態を付与可能に構成されている。本実施形態において確変状態は、次回の大当り遊技が生起される迄の間、付与される。確変状態は、大当り抽選の当選確率が高確率に変動して大当りが生起され易くなるため、遊技者にとって有利な状態となる。
【００２９】
また、確変状態では、変動時間短縮（以下「変短」と示す）状態があわせて付与される。変短状態では、普図ゲームの変動時間が短縮されるとともに、ゲート１９の通過に基づく普図当り抽選の当選確率（抽選確率）が通常状態（低確率、例えば２５１分の１３）から高確率（例えば２５１分の２５０）に向上（変動）される。また、変短状態において始動入賞口１５の開閉羽根１６は、普図当り抽選で当選した際に、変短状態が付与されていない非変短状態とは異なる動作パターンで開閉動作する。具体的に言えば、非変短状態において、開閉羽根１６は、普図当り抽選で当選した場合（普図ゲームで普図の当り図柄が導出された場合）、予め定めた第１回数（例えば１回）分開放し、開放してから第１開放時間（例えば０．３秒）が経過するまで開放状態を維持する。その一方で、変短状態において、開閉羽根１６は、普図当り抽選で当選した場合、第１回数より多い第２回数（例えば３回）分開放し、１回の開放において開放してから第１開放時間より長い第２開放時間（例えば１．５８秒）が経過するまで開放状態を維持する。このように、変短状態は、開閉羽根１６が遊技者にとって有利に動作し、単位時間当りの始動入賞口１５への入球率が向上するため、遊技者にとって有利な状態となり得る。なお、変短状態は、開閉羽根１６の単位時間当りの開放時間の増加を伴う開放時間増加状態であって、開放時間の増加によって入球率が向上する入球率向上状態でもある。本実施形態では、確変状態が遊技者に有利な遊技状態となる。
【００３０】
また、本実施形態のパチンコ遊技機は、大当り遊技終了後に確変状態を付与せずに変短状態を付与する時間短縮（以下「時短」と示す）状態を付与可能に構成されている。本実施形態では、大当り遊技終了後に確変状態を付与する大当りが確変大当りとなり、大当り遊技終了後に時短状態を付与する（非確変状態を付与する）大当りが非確変大当りとなる。
【００３１】
次に、パチンコ遊技機の制御構成を図３にしたがって説明する。
本実施形態のパチンコ遊技機の機裏側には、パチンコ遊技機全体を制御する主制御基板３０が装着されている。主制御基板３０は、パチンコ遊技機全体を制御するための各種処理を実行するとともに、該処理結果に応じた各種の制御指令（制御コマンド）を出力する。また、機裏側には、演出制御基板３１が装着されている。演出制御基板３１は、主制御基板３０が出力した制御指令に基づき、各種の演出装置の動作を制御する。
【００３２】
以下、主制御基板３０及び演出制御基板３１の具体的構成を説明する。
主制御基板３０には、制御動作を所定の手順で実行する主制御用ＣＰＵ３０ａと、主制御用ＣＰＵ３０ａの制御プログラムを格納する主制御用ＲＯＭ３０ｂと、必要なデータの書き込み及び読み出しができる主制御用ＲＡＭ３０ｃが設けられている。そして、主制御用ＣＰＵ３０ａには、各種スイッチＳＷ１〜ＳＷ３が遊技球を検知して出力する検知信号を入力可能に接続されている。また、主制御用ＣＰＵ３０ａには、特別図柄表示装置１２、特別図柄保留表示装置１３、及び普通図柄表示装置１４が接続されている。
【００３３】
また、主制御用ＣＰＵ３０ａは、大当り判定用乱数、リーチ判定用乱数、及び特別図柄振分用乱数などの各種乱数の値を所定の周期毎に更新する乱数更新処理（乱数生成処理）を実行する。大当り判定用乱数は、大当り抽選（大当り判定）で用いる乱数である。リーチ判定用乱数は、大当り抽選で大当りに当選しなかった場合、すなわちはずれの場合にリーチを形成するか否かのリーチ抽選（リーチ判定）で用いる乱数である。特別図柄振分用乱数は、大当り抽選で当選した場合に特別図柄の大当り図柄を決定する際に用いられる乱数であり、０〜９９の全１００通りの整数値に定められている。本実施形態のパチンコ遊技機では、特別図柄の大当り図柄として全１００通りの特別図柄が設定されているとともに、この１００種類の特別図柄の大当り図柄に対して１００通りの特別図柄振分用乱数の値が１個ずつ各別に対応付けられている。本実施形態では、全１００種類の特別図柄の大当り図柄のうち５０種類が特別図柄ＺＡに、残る５０種類が特別図柄ＺＢに分類されている。本実施形態では、特別図柄ＺＡに分類される５０種類の特別図柄が確変大当りとなる特別図柄（特定図柄）として設定されている一方で、特別図柄ＺＢに分類される５０種類の特別図柄が非確変大当りとなる特別図柄（非特定図柄）として設定されている。また、主制御用ＲＡＭ３０ｃには、パチンコ遊技機の動作中に適宜書き換えられる各種情報（乱数値、タイマ値、フラグなど）が記憶（設定）される。
【００３４】
主制御用ＲＯＭ３０ｂには、メイン制御プログラム、各種の判定値（大当り判定値、及びリーチ判定値など）が記憶されている。大当り判定値は、大当り抽選で用いる判定値であり、大当り判定用乱数の取り得る数値（０〜５９９までの全６００通りの整数）の中から定められている。そして、大当り判定値は非確変状態時の大当り抽選で用いる非確変用判定値（低確率時大当り判定値）と、確変状態時の大当り抽選で用いる確変用判定値（高確率時大当り判定値）とがある。確変用判定値の設定数（本実施形態では２０個）は、非確変用判定値の設定数（本実施形態では２個）よりも多く設定されている。このような設定によれば、非確変状態において大当り抽選で当選する確率は６００分の２となる一方で、確変状態において大当り抽選に当選する確率は６００分の２０となる。
【００３５】
本実施形態の非確変用判定値は、「１７、１２５」の２個に設定されている。一方、本実施形態の確変用判定値は、上記「１７、１２５」の２個の値に、「３７、８３、１８５…（以下省略）」などの１８個の値を加えた合計２０個に設定されている。そして、非確変用判定値と確変用判定値は、その総数は異なるが、設定値については一部の値（本実施形態では「１７、１２５」）が共通値とされている。この共通値（「１７、１２５」）は、非確変状態時及び確変状態時の何れの状態においても大当り判定用乱数の値と一致する値とされている。一方、確変用判定値において、前記共通値（「１７、１２５」）を除く、他の値（１８個）は、非確変用判定値（共通値）とは異なる非共通値とされている。この非共通値は、大当り抽選時の遊技状態に応じて、大当り判定値と一致する場合と一致しない場合とがある。具体的に言えば、非共通値は、非確変状態時の大当り抽選において、大当り判定用乱数の値とは一致しない。その一方で、非共通値は、確変状態時の大当り抽選において、大当り判定用乱数の値と一致する。また、リーチ判定値は、はずれを決定する場合にリーチを形成するか否かの内部抽選（リーチ判定）で用いる判定値であり、リーチ判定用乱数の取り得る数値（０〜２４０までの全２４１通りの整数）の中から定められている。本実施形態では、リーチ判定値として２個の値が設定されており、このような設定によればリーチ判定で肯定判定される確率は２４１分の２となる。
【００３６】
また、主制御用ＲＯＭ３０ｂには、複数種類の変動パターンが記憶されている。変動パターンは、図柄変動ゲームが開始してから図柄変動ゲームが終了するまでの間の演出（表示演出、発光演出、音声演出）のベースとなるパターンであって、図柄変動ゲームの変動内容（演出内容）及び変動時間（演出時間）を特定し得る。本実施形態において、複数種類の変動パターンは、大当り変動用の変動パターン、はずれリーチ変動用の変動パターン、及びはずれ変動用の変動パターンに分類できる。大当り変動は、リーチ演出を経て、図柄変動ゲームが最終的に大当り図柄を確定停止表示させるように展開される演出である。はずれリーチ変動は、リーチ演出を経て、図柄変動ゲームが最終的にはずれ図柄を確定停止表示させるように展開される演出である。はずれ変動は、リーチ演出を経ないで、図柄変動ゲームが最終的にはずれ図柄を確定停止表示させるように展開される演出である。リーチ演出は、演出表示装置１１の飾り図柄による図柄変動ゲームにおいて、リーチが形成されてから、最終的に図柄組み合わせ（大当り図柄又ははずれ図柄）が導出される迄の間に、例えば所定のキャラクタを登場させるなどして行われる演出である。なお、特別図柄表示装置１２では、図柄変動ゲームが開始されると、リーチ演出を行うことなく、変動時間の経過時まで図柄の変動が継続される。本実施形態では、図４に示すように、はずれ変動用の変動パターンとして変動パターンＰ１が、はずれリーチ変動用の変動パターンとして変動パターンＰ２が、大当り変動用の変動パターンとして変動パターンＰ３が用意されている。
【００３７】
次に、演出制御基板３１について説明する。
図３に示すように、演出制御基板３１には、制御動作を所定の手順で実行する演出制御用ＣＰＵ３１ａと、演出制御用ＣＰＵ３１ａの制御プログラムを格納する演出制御用ＲＯＭ３１ｂと、必要なデータの書き込み及び読み出しができる演出制御用ＲＡＭ３１ｃが設けられている。演出制御用ＣＰＵ３１ａは、演出振分用乱数などの各種乱数の値を所定の周期毎に更新する乱数更新処理（乱数生成処理）を実行する。なお、演出振分用乱数は、連続演出（特定演出）の演出内容を決定する際に用いられる乱数である。演出制御用ＲＡＭ３１ｃには、パチンコ遊技機の動作中に適宜書き換えられる各種情報（乱数値、タイマ値、フラグなど）が記憶（設定）される。また、演出制御用ＣＰＵ３１ａには、演出表示装置１１、履歴表示装置Ｌ（発光部Ｌ１〜Ｌ４）が接続されている。演出制御用ＲＯＭ３１ｂには、各種の画像表示用データ（図柄、背景、文字、キャラクタなどの画像データ）、及び履歴表示装置Ｌ（発光部Ｌ１〜Ｌ４）の発光パターン（点灯タイミングや点灯色）を定めた発光演出用データが記憶されている。また、演出制御用ＲＯＭ３１ｂには、各種の判定値が記憶されている。
【００３８】
以下、主制御基板３０の主制御用ＣＰＵ３０ａが、メイン制御プログラムに基づき実行する特別図柄入力処理や特別図柄開始処理などの各種処理について説明する。本実施形態において主制御用ＣＰＵ３０ａは、所定の制御周期（例えば、４ｍｓ）毎に特別図柄入力処理や特別図柄開始処理などの各種処理を実行する。なお、特別図柄開始処理は、特別図柄入力処理の終了後に実行される。
【００３９】
最初に、特別図柄入力処理について説明する。
まず、主制御用ＣＰＵ３０ａは、始動口スイッチＳＷ１から検知信号を入力しているか否かに基づき、始動入賞口１５に遊技球が入球したか否かを判定する。この判定結果が否定の場合、主制御用ＣＰＵ３０ａは、特別図柄入力処理を終了する。始動入賞口１５に遊技球が入球したか否かの判定結果が肯定の場合、主制御用ＣＰＵ３０ａは、主制御用ＲＡＭ３０ｃに記憶されている始動保留球の記憶数（以下「保留記憶数」と示す）が上限数の４未満であるか否かを判定する。この判定結果が否定（保留記憶数が４未満でない）の場合、主制御用ＣＰＵ３０ａは、特別図柄入力処理を終了する。一方、保留記憶数が４未満である場合、主制御用ＣＰＵ３０ａは、保留記憶数を＋１（１加算）する。すなわち、主制御用ＣＰＵ３０ａは、始動入賞口１５で入球検知された遊技球を始動保留球として主制御用ＲＡＭ３０ｃに記憶させる。保留記憶数を更新（１加算）した主制御用ＣＰＵ３０ａは、更新後（加算後）の保留記憶数を表示するように特別図柄保留表示装置１３の表示内容を制御する。また、主制御用ＣＰＵ３０ａは、更新後（加算後）の保留記憶数を指示する保留記憶数コマンドを生成するとともに、演出制御基板３１（演出制御用ＣＰＵ３１ａ）に出力する。次に、主制御用ＣＰＵ３０ａは、各種乱数の値（本実施形態では大当り判定用乱数の値、リーチ判定用乱数の値、及び特別図柄振分用乱数の値）を主制御用ＲＡＭ３０ｃから読み出して取得し、該値を保留記憶数に対応する主制御用ＲＡＭ３０ｃの所定の記憶領域に設定する。
【００４０】
続けて、主制御用ＣＰＵ３０ａは、図５に示す先読みコマンド出力処理を実行する。図５に示すように、先読みコマンド出力処理において、主制御用ＣＰＵ３０ａは、今回の制御周期における特別図柄入力処理で取得した大当り判定用乱数の値と、前述した大当り判定値のうち共通値とを比較し、両値が一致するか否かを事前判定する（ステップＳＡ１）。すなわち、ステップＳＡ１において、主制御用ＣＰＵ３０ａは、今回の制御周期における特別図柄入力処理で主制御用ＲＡＭ３０ｃに記憶させた始動保留球に基づく図柄変動ゲームが、大当り抽選時における遊技状態が確変状態及び非確変状態の何れであっても大当りとなるか否かを判定している。ステップＳＡ１の判定結果が肯定の場合、主制御用ＣＰＵ３０ａは、今回の制御周期における特別図柄入力処理で取得した特別図柄振分用乱数の値に対応する大当り図柄（特別図柄）が、確変大当りの特別図柄ＺＡであるか否かを判定する（ステップＳＡ２）。
【００４１】
ステップＳＡ２の判定結果が肯定の場合（特別図柄ＺＡの場合）、主制御用ＣＰＵ３０ａは、主制御用ＲＡＭ３０ｃに記憶されている保留記憶数を確認するとともに、確認した保留記憶数に対応する先読みコマンド「Ｄ１ＨｘｘＨ」を演出制御基板３１（演出制御用ＣＰＵ３１ａ）に出力する（ステップＳＡ３）。なお、各先読みコマンドの下位バイトに示す「ｘｘＨ」には、保留記憶数を示す値が設定される。例えば、下位バイトとして「０１Ｈ」が設定された場合には、保留記憶数が１個であることを示し、下位バイトとして「０３Ｈ」が設定された場合には、保留記憶数が３個であることを示す。したがって、先読みコマンド「Ｄ１ＨｘｘＨ」は、確変状態か否かを問わずに確変大当りとなること、及び大当りか否かの事前判定の時点における保留記憶数を特定可能な制御コマンドとなる。なお、先読みコマンド出力処理で主制御用ＣＰＵ３０ａが確認する保留記憶数は、今回の制御周期における特別図柄入力処理で１加算された更新後の保留記憶数である。その後、主制御用ＣＰＵ３０ａは、先読みコマンド出力処理を終了する。
【００４２】
また、ステップＳＡ２の判定結果が否定の場合（特別図柄ＺＢの場合）、主制御用ＣＰＵ３０ａは、主制御用ＲＡＭ３０ｃに記憶されている保留記憶数を確認するとともに、確認した保留記憶数に対応する先読みコマンド「Ｄ２ＨｘｘＨ」を演出制御基板３１（演出制御用ＣＰＵ３１ａ）に出力する（ステップＳＡ４）。したがって、先読みコマンド「Ｄ２ＨｘｘＨ」は、確変状態か否かを問わずに非確変大当りとなること、及び大当りか否かの事前判定の時点における保留記憶数を特定可能な制御コマンドとなる。その後、主制御用ＣＰＵ３０ａは、先読みコマンド出力処理を終了する。
【００４３】
また、ステップＳＡ１の判定結果が否定の場合（非確変状態においてはずれとなる場合）、主制御用ＣＰＵ３０ａは、今回の制御周期における特別図柄入力処理で取得したリーチ判定用乱数の値と、リーチ判定値とを比較し、両値が一致するか否かを判定する（ステップＳＡ５）。すなわち、ステップＳＡ５において、主制御用ＣＰＵ３０ａは、今回の制御周期における特別図柄入力処理で主制御用ＲＡＭ３０ｃに記憶させた始動保留球に基づく図柄変動ゲームが、はずれリーチ変動となるか否かを事前判定している。ステップＳＡ５の判定結果が肯定の場合（はずれリーチ変動の場合）、主制御用ＣＰＵ３０ａは、主制御用ＲＡＭ３０ｃに記憶されている保留記憶数を確認するとともに、確認した保留記憶数に対応する先読みコマンド「Ｄ３ＨｘｘＨ」を演出制御基板３１（演出制御用ＣＰＵ３１ａ）に出力する（ステップＳＡ６）。したがって、先読みコマンド「Ｄ３ＨｘｘＨ」は、はずれリーチとなること、及びリーチか否かの事前判定の時点における保留記憶数を特定可能な制御コマンドとなる。その後、主制御用ＣＰＵ３０ａは、先読みコマンド出力処理を終了する。
【００４４】
また、ステップＳＡ５の判定結果が否定の場合、主制御用ＣＰＵ３０ａは、主制御用ＲＡＭ３０ｃに記憶されている保留記憶数を確認するとともに、確認した保留記憶数に対応する先読みコマンド「Ｄ４ＨｘｘＨ」を演出制御基板３１（演出制御用ＣＰＵ３１ａ）に出力する（ステップＳＡ７）。したがって、先読みコマンド「Ｄ４ＨｘｘＨ」は、非確変状態においてはずれ変動となること、及び大当り（リーチ）か否かの事前判定の時点における保留記憶数を特定可能な制御コマンドとなる。その後、主制御用ＣＰＵ３０ａは、先読みコマンド出力処理を終了する。そして、先読みコマンド出力処理を終了した主制御用ＣＰＵ３０ａは、特別図柄入力処理を終了する。本実施形態では、先読みコマンド出力処理を実行する主制御用ＣＰＵ３０ａが、付与判定手段として機能する。
【００４５】
次に、特別図柄開始処理について説明する。
まず、主制御用ＣＰＵ３０ａは、図柄変動ゲームの実行中、又は大当り遊技中か否かの実行条件判定を実行する。この実行条件判定の判定結果が肯定の場合、主制御用ＣＰＵ３０ａは、特別図柄開始処理を終了する。
【００４６】
一方、実行条件判定の判定結果が否定（図柄変動ゲーム中ではなく、かつ大当り遊技中ではない）の場合、主制御用ＣＰＵ３０ａは、主制御用ＲＡＭ３０ｃに記憶されている保留記憶数が「０（零）」よりも大きいか否かを判定する。保留記憶数が「０（零）」の場合、主制御用ＣＰＵ３０ａは、保留中の図柄変動ゲームが存在しないので、特別図柄開始処理を終了する。一方、保留記憶数が１以上の場合、主制御用ＣＰＵ３０ａは、保留中の図柄変動ゲームが存在するので、保留記憶数を−１（１減算）する。また、保留記憶数を更新（１減算）した主制御用ＣＰＵ３０ａは、更新後（減算後）の保留記憶数を表示するように特別図柄保留表示装置１３の表示内容を制御する。また、主制御用ＣＰＵ３０ａは、更新後（減算後）の保留記憶数を指示する保留記憶数コマンドを生成するとともに、演出制御基板３１（演出制御用ＣＰＵ３１ａ）に出力する。そして、主制御用ＣＰＵ３０ａは、保留記憶数に対応付けられて主制御用ＲＡＭ３０ｃの所定の記憶領域に記憶されている大当り判定用乱数の値を読み出す。
【００４７】
続いて、主制御用ＣＰＵ３０ａは、大当り判定用乱数の値と大当り判定値を比較し、両値が一致するか否かの大当り判定をする。このとき、主制御用ＣＰＵ３０ａは、現在の遊技状態が非確変状態の場合、非確変用判定値を用いて大当り判定を行う一方で、現在の遊技状態が確変状態の場合、確変用判定値を用いて大当り判定を行う。なお、主制御用ＣＰＵ３０ａは、主制御用ＲＡＭ３０ｃに設定された制御フラグ（後述する確変フラグ）に基づき現在の遊技状態が確変状態か否かを把握する。上記大当り判定の判定結果が肯定の場合、主制御用ＣＰＵ３０ａは、大当り変動となる図柄変動ゲームを実行させるための大当り変動処理を実行する。大当り変動処理において主制御用ＣＰＵ３０ａは、保留記憶数に対応付けられて主制御用ＲＡＭ３０ｃの所定の記憶領域に記憶されている特別図柄振分用乱数の値を読み出す。
【００４８】
そして、主制御用ＣＰＵ３０ａは、該特別図柄振分用乱数の値をもとに特別図柄の大当り図柄を特別図柄表示装置１２に確定停止表示させる特別図柄として決定する。主制御用ＣＰＵ３０ａは、１００分の５０の確率で特別図柄ＺＡに属する特別図柄を、１００分の５０の確率で特別図柄ＺＢに属する特別図柄を決定する。また、特別図柄の大当り図柄を決定した主制御用ＣＰＵ３０ａは、大当り変動用の変動パターンを選択し、決定する。その後、主制御用ＣＰＵ３０ａは、特別図柄開始処理を終了する。
【００４９】
一方、上記大当り判定の判定結果が否定の場合、主制御用ＣＰＵ３０ａは、大当り判定用乱数の値が大当りとなる値ではないことからはずれを認識する。このため、主制御用ＣＰＵ３０ａは、リーチ判定用乱数の値を読み出すとともに、リーチ判定用乱数の値とリーチ判定値を比較し、両値が一致するか否かのリーチ判定を行う。このリーチ判定の判定結果が肯定の場合、主制御用ＣＰＵ３０ａは、リーチ抽選でリーチに当選したことから、はずれリーチ変動となる図柄変動ゲームを実行させるためのリーチ変動処理を実行する。リーチ変動処理において主制御用ＣＰＵ３０ａは、特別図柄表示装置１２に確定停止表示させる特別図柄としてはずれ図柄を決定するとともに、はずれリーチ変動用の変動パターンを選択し、決定する。その後、主制御用ＣＰＵ３０ａは、特別図柄開始処理を終了する。
【００５０】
一方、リーチ判定の判定結果が否定の場合、主制御用ＣＰＵ３０ａは、リーチ抽選でリーチに当選しなかったことから、はずれ変動となる図柄変動ゲームを実行させるためのはずれ変動処理を実行する。はずれ変動処理において主制御用ＣＰＵ３０ａは、特別図柄表示装置１２に確定停止表示させる特別図柄としてはずれ図柄を決定するとともに、はずれ変動用の変動パターンを選択し、決定する。その後、主制御用ＣＰＵ３０ａは、特別図柄開始処理を終了する。
【００５１】
そして、特別図柄開始処理において特別図柄及び変動パターンを決定した主制御用ＣＰＵ３０ａは、決定事項にしたがって生成した制御コマンドを所定のタイミングで演出制御基板３１（演出制御用ＣＰＵ３１ａ）に出力する。具体的に言えば、主制御用ＣＰＵ３０ａは、変動パターンを指示するとともに図柄変動ゲームの開始を指示する変動パターン指定コマンドを図柄変動ゲームの開始に際して最初に出力する。また、主制御用ＣＰＵ３０ａは、特別図柄を指示する特別図柄用の停止図柄指定コマンドを変動パターン指定コマンドの出力後、次に出力する。そして、主制御用ＣＰＵ３０ａは、指示した変動パターンに定められている変動時間の経過時に図柄変動ゲームの終了（図柄の確定停止）を指示する図柄停止コマンドを前記変動時間の経過に伴って出力する。
【００５２】
次に、大当り遊技に関して主制御用ＣＰＵ３０ａが実行する処理について説明する。
大当り遊技は、図柄変動ゲームで大当り表示結果が確定停止表示された後に開始される。大当り遊技では、最初に大当り遊技の開始を示すオープニング演出が行われるとともに、このオープニング演出の終了後、大入賞口１８を開放するラウンド遊技が予め定めたラウンド規定回数（本実施形態では１５回）を上限に行われる。各ラウンド遊技では、ラウンド演出が行われる。そして、大当り遊技では、ラウンド遊技のうち最後のラウンド遊技の終了後、エンディング演出が行われて終了される。主制御用ＣＰＵ３０ａは、最初にオープニング演出の開始を指示するオープニングコマンドを演出制御基板３１（演出制御用ＣＰＵ３１ａ）に出力する。次に、主制御用ＣＰＵ３０ａは、図示しないアクチュエータを制御して大入賞口扉１７を開閉動作させて各ラウンド遊技を実行させる。主制御用ＣＰＵ３０ａは、各ラウンド遊技を開始する毎に、ラウンド演出の開始を指示するラウンドコマンドを演出制御基板３１（演出制御用ＣＰＵ３１ａ）に出力する。また、主制御用ＣＰＵ３０ａは、最後のラウンド遊技の終了後、エンディング演出の開始を指示するエンディングコマンドを演出制御基板３１（演出制御用ＣＰＵ３１ａ）に出力する。
【００５３】
次に、大当り遊技終了後の遊技状態に関して主制御用ＣＰＵ３０ａが実行する制御を説明する。本実施形態において、主制御用ＣＰＵ３０ａは、大当り遊技の直前に行われた大当り変動の図柄変動ゲームで決定した大当り図柄（特別図柄）に基づいて大当り遊技終了後の遊技状態を制御する。
【００５４】
主制御用ＣＰＵ３０ａは、特別図柄ＺＡに基づく大当り遊技の終了後、主制御用ＲＡＭ３０ｃに記憶される確変フラグに「１」を設定する。確変フラグは、その値として「１」が設定されている場合、現在の遊技状態が確変状態であることを示す一方で、「０」が設定されている場合、現在の遊技状態が非確変状態であることを示す。一方、主制御用ＣＰＵ３０ａは、特別図柄ＺＢに基づく大当り遊技の終了後、確変フラグに「０」を設定する。そして、主制御用ＣＰＵ３０ａは、確変フラグに「１」を設定した場合、演出制御基板３１（演出制御用ＣＰＵ３１ａ）に確変状態であることを示す確変コマンドを出力する一方で、確変フラグに「０」を設定した場合、非確変状態であることを示す非確変コマンドを出力する。
【００５５】
また、主制御用ＣＰＵ３０ａは、特別図柄ＺＡ，ＺＢに基づく大当り遊技の終了後、主制御用ＲＡＭ３０ｃに記憶される作動フラグに「１」を設定する。作動フラグは、その値として「１」が設定されている場合、現在の遊技状態が変短状態であることを示す一方で、「０」が設定されている場合、現在の遊技状態が非変短状態であることを示す。主制御用ＣＰＵ３０ａは、作動フラグに「１」を設定すると、変短状態であることを示す作動コマンドを演出制御基板３１（演出制御用ＣＰＵ３１ａ）に出力する。
【００５６】
また、主制御用ＣＰＵ３０ａは、特別図柄ＺＢに基づく大当り遊技の終了後、変短状態が付与される残りの図柄変動ゲームの回数を示す作動回数として所定回数（本実施形態では１００回）を主制御用ＲＡＭ３０ｃに設定する。主制御用ＣＰＵ３０ａは、図柄変動ゲームの実行（変動パターン指定コマンドの出力）毎に、主制御用ＲＡＭ３０ｃに記憶されている作動回数を−１（１減算）する。主制御用ＣＰＵ３０ａは、作動回数が「０」に到達すると、図柄変動ゲームの終了後、作動フラグに「０」を設定するとともに、演出制御基板３１（演出制御用ＣＰＵ３１ａ）に、非変短状態であることを示す非作動コマンドを出力する。なお、主制御用ＣＰＵ３０ａは、作動フラグに「１」が設定されている間、パチンコ遊技機の遊技状態を変短状態に制御する。
【００５７】
以上のように、本実施形態のパチンコ遊技機では、特別図柄ＺＡに基づく大当り遊技の終了後、次回の大当りが生起される迄の間、変短状態を伴って確変状態が付与される。また、本実施形態では、特別図柄ＺＢに基づく大当り遊技の終了後、１００回の図柄変動ゲームが終了する迄の間、時短状態が付与される。
【００５８】
次に、演出制御基板３１の演出制御用ＣＰＵ３１ａが演出制御プログラムに基づき実行する各種の処理について説明する。
最初に、演出制御用ＣＰＵ３１ａが主制御基板３０（主制御用ＣＰＵ３０ａ）から先読みコマンドを入力した際に実行する演出設定処理について図６にしたがって説明する。なお、本実施形態の演出制御用ＣＰＵ３１ａは、先読みコマンドを入力した際に、現在の遊技状態が確変状態、及び時短状態の何れでもない通常状態であるか否かを判定し、その判定結果が肯定の場合にのみ、以下に説明する演出設定処理を実行する。すなわち、本実施形態のパチンコ遊技機では、通常状態にのみ連続演出が実行される。なお、演出制御用ＣＰＵ３１ａは、現在の遊技状態が通常状態であるか否かを、現在の遊技状態が変短状態であるか否かにより判定する。具体的に言えば、演出制御用ＣＰＵ３１ａは、主制御基板３０から作動コマンドを入力したことを契機として、現在の遊技状態が変短状態であることを示す制御情報（フラグなど）を演出制御用ＲＡＭ３１ｃに設定している場合に変短状態と判定し、演出設定処理を実行しない。その一方で、演出制御用ＣＰＵ３１ａは、主制御基板３０から非作動コマンドを入力したことを契機として、現在の遊技状態が非変短状態（通常状態）であることを示す制御情報（フラグなど）を演出制御用ＲＡＭ３１ｃに設定している場合に通常状態と判定し、演出設定処理を実行する。
【００５９】
図６に示すように、演出設定処理において、演出制御用ＣＰＵ３１ａは、主制御用ＣＰＵ３０ａから各先読みコマンドを入力すると、入力した先読みコマンド（制御コマンドの値）を、該コマンドで指定された保留記憶数に対応付けられた演出制御用ＲＡＭ３１ｃのコマンド記憶領域に記憶（設定）させる（ステップＳＢ１）。本実施形態の演出制御用ＲＡＭ３１ｃには、保留記憶数１〜４、及び実行中の図柄変動ゲームにそれぞれ対応付けた５つのコマンド記憶領域が設定されている。なお、以下の説明では、実行中の図柄変動ゲームに対応付けたコマンド記憶領域を、「保留記憶数０」に対応するコマンド記憶領域と示す場合がある。例えば、演出制御用ＣＰＵ３１ａは、主制御用ＣＰＵ３０ａから先読みコマンド「Ｄ１Ｈ０３Ｈ」を入力すると、先読みコマンド「Ｄ１Ｈ０３Ｈ」を演出制御用ＲＡＭ３１ｃにおいて保留記憶数３に対応付けたコマンド記憶領域に記憶させる。同様に、演出制御用ＣＰＵ３１ａは、主制御用ＣＰＵ３０ａから先読みコマンド「Ｄ４Ｈ０１Ｈ」（はずれ変動）を入力すると、先読みコマンド「Ｄ４Ｈ０１Ｈ」を演出制御用ＲＡＭ３１ｃにおいて保留記憶数１に対応付けたコマンド記憶領域に記憶させる。
【００６０】
なお、演出制御用ＣＰＵ３１ａは、主制御用ＣＰＵ３０ａから図柄変動ゲームの開始を指示される（変動パターン指定コマンドを入力する）毎に、現在の保留記憶数から−１（１減算）した保留記憶数に新たに対応付けて先読みコマンドを演出制御用ＲＡＭ３１ｃに記憶する更新記憶処理（所謂シフト処理）を実行する。具体的に言えば、演出制御用ＣＰＵ３１ａは、保留記憶数ｎ（ｎ＝１〜４）に対応するコマンド記憶領域に記憶されている先読みコマンドを、保留記憶数ｎ−１（０〜３）に対応付けたコマンド記憶領域に記憶させる。なお、保留記憶数０に対応付けたコマンド記憶領域に記憶されている先読みコマンドは、更新記憶処理の実行に伴って保留記憶数１に記憶されていた先読みコマンドに上書きされる（すなわち消去される）。また同時に、保留記憶数４に対応付けたコマンド記憶領域に記憶されている先読みコマンドは、更新記憶処理の実行に伴って始動保留球が存在しないことを示す制御情報に上書きされる（すなわち消去される）。
【００６１】
例えば、保留記憶数３に対応付けたコマンド記憶領域に先読みコマンド「Ｄ１Ｈ０３Ｈ」が記憶されている場合に、変動パターン指定コマンドが入力されると、該先読みコマンド「Ｄ１Ｈ０３Ｈ」は、保留記憶数２に対応付けたコマンド記憶領域に記憶される。また、保留記憶数０に対応付けたコマンド記憶領域に先読みコマンド「Ｄ４Ｈ０１Ｈ」が記憶されている場合に、変動パターン指定コマンドが入力されると、該先読みコマンド「Ｄ４Ｈ０１Ｈ」は、保留記憶数１に対応付けたコマンド記憶領域に記憶されていた先読みコマンドの値によって上書きされる。このような構成によれば、始動入賞口１５で入賞検知されたことを契機として主制御用ＲＡＭ３０ｃに記憶された始動保留球に対応する先読みコマンドは、該対応する始動保留球に基づく図柄変動ゲームが終了する迄の間、演出制御用ＲＡＭ３１ｃに記憶保持されることになる。
【００６２】
演出設定処理の説明に戻り、ステップＳＢ１において先読みコマンドを記憶させた演出制御用ＣＰＵ３１ａは、その先読みコマンドで指定された保留記憶数が２以上であるか否かを判定する（ステップＳＢ２）。ステップＳＢ２の判定結果が否定の場合（指定された保留記憶数が１以下の場合）、演出制御用ＣＰＵ３１ａは、演出設定処理を終了する。ステップＳＢ２の判定結果が肯定の場合（指定された保留記憶数が２以上の場合）、演出制御用ＣＰＵ３１ａは、連続演出を実行中ではないか否かを判定する（ステップＳＢ３）。具体的に言えば、ステップＳＢ３において演出制御用ＣＰＵ３１ａは、演出制御用ＲＡＭ３１ｃに記憶されている演出フラグの値が１以上であるか否か（設定されているか否か）を判定する。演出フラグは、その値として「１〜４」が設定されている場合には連続演出を実行中であることを示す一方で、その値として「０」が設定されている場合（すなわち設定されていない場合）には連続演出を非実行中であることを示す。ステップＳＢ３の判定結果が否定の場合（連続演出を実行中の場合）、演出制御用ＣＰＵ３１ａは、演出設定処理を終了する。
【００６３】
一方、ステップＳＢ３の判定結果が肯定の場合（連続演出を非実行中の場合）、演出制御用ＣＰＵ３１ａは、ステップＳＢ１で記憶させた先読みコマンドに対応する図柄変動ゲームを除いた保留中の図柄変動ゲームに大当り変動、又ははずれリーチ変動の図柄変動ゲームが含まれているか否かを判定する（ステップＳＢ４）。具体的に言えば、演出制御用ＣＰＵ３１ａは、先読みコマンドで指定された保留記憶数よりも小さい保留記憶数に対応付けたコマンド記憶領域に先読みコマンド「Ｄ１ＨｘｘＨ〜Ｄ３ＨｘｘＨ」が記憶されているか否かを判定する。ステップＳＢ４の判定結果が否定の場合（大当り変動、又ははずれリーチ変動が含まれている場合）、演出制御用ＣＰＵ３１ａは、演出設定処理を終了する。
【００６４】
一方、ステップＳＢ４の判定結果が肯定の場合（大当り変動、及びはずれリーチ変動が含まれていない場合）、演出制御用ＣＰＵ３１ａは、演出制御用ＲＡＭ３１ｃから演出振分用乱数の値を取得する。そして、演出制御用ＣＰＵ３１ａは、取得した演出振分用乱数の値と、先読みコマンドで指定される保留記憶数及び変動内容をもとに図７に示す連続演出振分用テーブルＴａを参照して連続演出の実行可否、及び演出内容を決定する（ステップＳＢ５）。なお、図７に示す「保１〜保４」は、先読みコマンドを入力した時点における保留記憶数を示す。
【００６５】
この連続演出振分用テーブルＴａは、演出制御用ＲＯＭ３１ｂに記憶されている。図７に示すように、連続演出振分用テーブルＴａでは、先読みコマンドで指定される保留記憶数２〜４に対して、各保留記憶数分の図柄変動ゲームで実行させる特定演出の演出内容（球体画像Ｇｇの色）を特定可能な複数種類の演出内容パターンが対応付けられている。連続演出振分用テーブルＴａに示す「無し」は、特定演出を実行しないこと（非実行）を示している。また、連続演出振分用テーブルＴａに示す「青」は、青色の球体画像Ｇｇによる特定演出の実行を示し、「緑」は、緑色の球体画像Ｇｇによる特定演出の実行を示し、「赤」は、赤色の球体画像Ｇｇによる特定演出の実行を示す。なお、以下の説明では、青色の球体画像Ｇｇによる特定演出を「特定演出（青）」と示し、緑色の球体画像Ｇｇによる特定演出を「特定演出（緑）」と示し、赤色の球体画像Ｇｇによる特定演出を「特定演出（赤）」と示す場合がある。
【００６６】
したがって、連続演出振分用テーブルＴａにおいて演出内容パターンＰａ０，Ｐｂ０，Ｐｃ０は、連続演出の非実行を示す演出内容パターンとなる。一方、連続演出振分用テーブルＴａにおいて演出内容パターンＰａ０，Ｐｂ０，Ｐｃ０を除く演出内容パターンは、連続演出の実行を示す演出内容パターンとなる。例えば、演出内容パターンＰａ３には、連続演出の対象とされた２回の図柄変動ゲームのうち、１回目の図柄変動ゲームで特定演出（青）を実行し、２回目の図柄変動ゲームで特定演出（赤）を実行することが特定されている。
【００６７】
本実施形態では、特定演出（青）＜特定演出（緑）＝特定演出（赤）の順に、連続演出の対象とされた図柄変動ゲームのうち最終回の図柄変動ゲームにおける大当り期待度を高く設定した演出内容として設定されている。また、本実施形態では、特定演出（青）＜特定演出（緑）＜特定演出（赤）の順に、最終回の図柄変動ゲームにおいて確変大当りとなる確変大当り期待度が高い演出内容として設定されている。したがって、本実施形態では、特定演出（青）＜特定演出（緑）＜特定演出（赤）の順に、遊技者が抱く期待感を高め得る。すなわち、本実施形態の特定演出の演出内容は、確変大当り期待度（大当り期待度）に応じて複数段階に設定されている。そして、各演出内容パターンでは、連続演出の対象とされた各図柄変動ゲームで実行させる特定演出の演出内容として、直前の図柄変動ゲームにおける特定演出と同一、又はより高い確変大当り期待度（大当り期待度）を設定した演出内容を設定している。
【００６８】
そして、連続演出振分用テーブルＴａにおいて、各保留記憶数２〜４に対応付けた各演出内容パターンには、保留記憶数毎に区分して演出振分用乱数の値が、この演出振分用乱数の値の取り得る数値（０〜６００の全６０１通りの整数値）の中から所定個数ずつ振り分けられている。このため、連続演出振分用テーブルＴａによれば、先読みコマンドで指定される保留記憶数に対応付けた演出内容パターンのうちから、先読みコマンドで指定される変動内容に基づいて１の演出内容パターンが決定される。例えば、先読みコマンド「Ｄ３Ｈ０３Ｈ（保留記憶数３、且つはずれリーチ）」を入力した場合には、６０１分の１５１の確率で演出内容パターンＰｂ０が、それぞれ６０１分の５０の確率で演出内容パターンＰｂ１〜Ｐｂ９の何れかが決定され得る。
【００６９】
ステップＳＢ５の処理において、連続演出の非実行を示す演出内容パターンＰａ０，Ｐｂ０，Ｐｃ０の何れかを決定した場合、演出制御用ＣＰＵ３１ａは、連続演出の非実行を決定するとともに、演出設定処理を終了する。一方、ステップＳＢ５の処理において、連続演出の実行を示す演出内容パターンＰａ１〜Ｐａ６，Ｐｂ１〜Ｐｂ１０，Ｐｃ１〜Ｐｃ１５の何れかを決定した場合、演出制御用ＣＰＵ３１ａは、先読みコマンドで指定された保留記憶数分の図柄変動ゲームを対象とした連続演出の実行を決定する。この場合、演出制御用ＣＰＵ３１ａは、決定した演出内容パターンをもとに特定演出の実行を示す演出制御フラグを演出制御用ＲＡＭ３１ｃに記憶させる（設定する）。具体的に説明すると、本実施形態の演出制御用ＲＡＭ３１ｃには、保留記憶数１〜４にそれぞれ対応付けた４つの演出記憶領域が設定されており、演出制御用ＣＰＵ３１ａは、決定した演出内容パターンで特定される演出内容の特定演出の実行を示す演出制御フラグを、対応する始動保留球に対応付けた演出記憶領域に記憶させる。演出制御フラグは、その値として「００Ｈ」が設定されている場合には特定演出の非実行を示し、「０１Ｈ」が設定されている場合には特定演出（青）の実行を示し、「０２Ｈ」が設定されている場合には特定演出（緑）の実行を示し、「０３Ｈ」が設定されている場合には特定演出（赤）の実行を示す。例えば、演出制御用ＣＰＵ３１ａは、演出内容パターンＰｂ５を決定した場合、演出制御フラグとして、保留記憶数１に対応付けた演出記憶領域に「０１Ｈ」を、保留記憶数２に対応付けた演出記憶領域に「０２Ｈ」を、保留記憶数３に対応付けた演出記憶領域に「０３Ｈ」を記憶させる。
【００７０】
なお、演出制御用ＣＰＵ３１ａは、主制御用ＣＰＵ３０ａから図柄変動ゲームの終了を指示される（図柄停止コマンドを入力する）毎に、現在の保留記憶数から−１（１減算）した保留記憶数に新たに対応付けて演出制御フラグを演出制御用ＲＡＭ３１ｃに記憶する演出更新処理（所謂シフト処理）を実行する。具体的に言えば、演出制御用ＣＰＵ３１ａは、保留記憶数ｎ（ｎ＝２〜４）に対応する演出記憶領域に記憶されている演出制御フラグを、保留記憶数ｎ−１（１〜３）に対応付けた演出記憶領域に記憶させる。なお、保留記憶数１に対応付けた演出記憶領域に記憶されている演出制御フラグは、演出更新処理の実行に伴って保留記憶数２に記憶されていた演出制御フラグに上書きされる（すなわち消去される）。また同時に、保留記憶数４に対応付けた演出記憶領域に記憶されている演出制御フラグは、演出更新処理の実行に伴って演出制御フラグ「００Ｈ」に上書きされる（すなわち消去される）。
【００７１】
そして、演出制御フラグ（特定演出の演出内容）を演出制御用ＲＡＭ３１ｃに記憶させた場合、演出制御用ＣＰＵ３１ａは、先読みコマンドで指定された保留記憶数（２〜４）を演出フラグに設定する。その後、演出制御用ＣＰＵ３１ａは、演出設定処理を終了する。このように、本実施形態では、演出制御用ＣＰＵ３１ａが演出内容決定手段として機能する。
【００７２】
以上のような構成により、本実施形態では、はずれ変動を指定する先読みコマンド「Ｄ４ＨｘｘＨ」により保留記憶数２が指定された場合には、演出内容パターンＰａ０，Ｐａ１の何れかが決定され得る。また、先読みコマンド「Ｄ４ＨｘｘＨ」により保留記憶数３が指定された場合には、演出内容パターンＰｂ０のみが、保留記憶数４が指定された場合には、演出内容パターンＰｃ０のみが決定され得る。一方、はずれリーチ変動を指定する先読みコマンド「Ｄ３ＨｘｘＨ」を入力した場合には、指定される保留記憶数に関わらず、全ての図柄変動ゲームにおいて特定演出（赤）の実行を特定する演出内容パターンを除く他の演出内容パターンが決定され得る。また、大当り変動を指定する先読みコマンド「Ｄ２ＨｘｘＨ」の何れかを入力した場合には、指定される保留記憶数に関わらず、全ての図柄変動ゲームにおいて特定演出（赤）の実行を特定する演出内容パターンを除く他の演出内容パターンが決定され得る。また、大当り変動を指定する先読みコマンド「Ｄ１ＨｘｘＨ」の何れかを入力した場合には、指定される保留記憶数に関わらず、全ての演出内容パターンが決定され得る。このため、本実施形態では、特定演出（青）以外の演出内容による特定演出を含んで２回の図柄変動ゲームを対象とした連続演出が実行された状況、又は３回以上の図柄変動ゲームを対象に連続演出が実行された状況から、連続演出の対象とされた図柄変動ゲームのうち最終回の図柄変動ゲームにおいてリーチが形成されることを確定的に認識し得る。
【００７３】
また、連続演出振分用テーブルＴａでは、各保留記憶数に対応付けた演出内容パターンのうち特定演出（緑）又は（赤）を多く含む演出内容パターンほど、大当りを指定された場合における選択率と、はずれを指定された場合を指定された場合における選択率とを合算した選択率に占める大当りを指定された場合の選択率が高くなるように設定されている。このため、本実施形態では、連続演出の対象とされた図柄変動ゲームの回数が同数である場合、特定演出（緑）又は特定演出（赤）を伴う図柄変動ゲームの回数が多いほど、最終回の図柄変動ゲームにおいて大当り変動となる大当り期待度が高くなる。すなわち、本実施形態では、特定演出（緑）及び特定演出（赤）は、特定演出（青）と比較して大当り期待度を高く設定した演出内容（段階）として設定される。
【００７４】
また、連続演出振分用テーブルＴａでは、先読みコマンドで指定される保留記憶数が多いほど、連続演出の実行可を決定する割合（決定率）の全体に占める大当りを指定された場合における連続演出の実行可を決定する割合（決定率）が高くなるように設定されている。このため、本実施形態では、特定演出（緑）又は特定演出（赤）を伴う図柄変動ゲームの回数が同数である場合、連続演出の対象とされた図柄変動ゲームの回数が多くなる程、最終回の図柄変動ゲームにおいて大当り変動となる大当り期待度が高くなる。すなわち、本実施形態では、連続演出を構成する図柄変動ゲームの回数が多いほど、大当り期待度が高くなる。
【００７５】
また、連続演出振分用テーブルＴａでは、同じ回数の特定演出（緑）又は（赤）を特定する演出内容パターンのうち、特定演出（赤）を多く含む演出内容パターンほど、大当りを指定された場合における選択率の全体に占める確変大当りを指定された場合の選択率が高くなるように設定されている。このため、本実施形態では、特定演出（緑）又は特定演出（赤）を伴う図柄変動ゲームの回数が同数である場合、このうち特定演出（赤）の回数が多くなる程、最終回の図柄変動ゲームにおいて確変大当りとなる可能性が高くなる。すなわち、本実施形態では、特定演出（青）＜特定演出（緑）＜特定演出（赤）の順に、確変大当り期待度を高く設定した演出内容（段階）として設定される。なお、本実施形態では、特定演出（赤）を伴う図柄変動ゲームの回数が同数である場合、その他の図柄変動ゲームで実行される特定演出（緑）の回数が多いほど、最終回の図柄変動ゲームにおける大当り期待度、及び確変大当りの可能性が高くなるとも言える。
【００７６】
また、連続演出振分用テーブルＴａでは、先読みコマンドで確変大当りが指定された場合にのみ、演出内容パターンＰａ６，Ｐａ１０，Ｐａ１５が決定され得る。したがって、本実施形態では、連続演出の対象とされた図柄変動ゲームのうち、初回の図柄変動ゲームから（換言すれば、全ての図柄変動ゲームで）特定演出（赤）が実行された状況から、最終回の図柄変動ゲームにおいて確変大当りとなることを確定的に認識し得ることになる。
【００７７】
次に、変動パターン指定コマンドを入力した際に演出制御用ＣＰＵ３１ａが実行する制御について説明する。
演出制御用ＣＰＵ３１ａは、変動パターン指定コマンドを入力すると、該コマンドに指示される変動パターンに対応する変動内容（演出内容）をもとに、画像表示用データを選択する。また、演出制御用ＣＰＵ３１ａは、変動パターン指定コマンドを入力すると、演出制御用ＲＡＭ３１ｃにおいて保留記憶数１に対応付けた演出記憶領域に特定演出の実行を示す演出制御フラグ「０１Ｈ〜０３Ｈ」の何れかが設定されているか否かを判定する。特定演出の実行を示す演出制御フラグ「０１Ｈ〜０３Ｈ」の何れかが設定されている場合、演出制御用ＣＰＵ３１ａは、演出制御フラグに示される特定演出の演出内容に対応する画像表示用データを選択する。
【００７８】
また、演出制御用ＣＰＵ３１ａは、演出制御フラグ「０１Ｈ〜０３Ｈ」の何れかが設定されている場合、特定演出の実行に伴って発光色を変化させる履歴表示装置Ｌの発光部Ｌ１〜Ｌ４を発光制御フラグの値をもとに特定する。すなわち、演出制御用ＣＰＵ３１ａは、特定演出の履歴（特定演出情報）を提示させる発光部を特定する。発光制御フラグは、演出制御用ＲＡＭ３１ｃに記憶されており、その値として「００Ｈ」が設定されている場合には発光部Ｌ１〜Ｌ４の全てが、「０１Ｈ」が設定されている場合には発光部Ｌ２〜Ｌ４が、「０２Ｈ」が設定されている場合には発光部Ｌ３，Ｌ４が、「０３Ｈ」が設定されている場合には発光部Ｌ４が白色で発光されていることを示す。そして、演出制御用ＣＰＵ３１ａは、設定されている発光制御フラグの値が「００Ｈ」の場合には発光部Ｌ１を、「０１Ｈ」の場合には発光部Ｌ２を、「０２Ｈ」の場合には発光部Ｌ３を、「０３Ｈ」の場合には発光部Ｌ４を、特定演出に伴って発光色を変化させる発光部として特定する。発光部を特定した演出制御用ＣＰＵ３１ａは、その特定した発光部、及び特定演出の演出内容をもとに発光演出用データを選択する。
【００７９】
また、演出制御用ＣＰＵ３１ａは、特別図柄用の停止図柄指定コマンドを入力すると、該コマンドにしたがって演出表示装置１１に確定停止表示させる飾り図柄を生成する。具体的に言えば、演出制御用ＣＰＵ３１ａは、特別図柄として大当り図柄（特別図柄ＺＡ）が指定されている場合、飾り図柄の大当り図柄として確変大当りを認識できる大当り図柄（例えば「７７７」など）を生成する。演出制御用ＣＰＵ３１ａは、特別図柄として大当り図柄（特別図柄ＺＢ）が指定されている場合、飾り図柄の大当り図柄として非確変大当りを認識できる大当り図柄（例えば「２２２」など）を生成する。また、演出制御用ＣＰＵ３１ａは、特別図柄としてはずれ図柄が指定されている場合、飾り図柄としてはずれ図柄を生成する。このとき、演出制御用ＣＰＵ３１ａは、はずれリーチ変動用の変動パターンが指定されている場合、図柄変動ゲームで確定停止表示させる飾り図柄としてリーチ図柄を含むはずれ図柄を生成する。
【００８０】
そして、演出制御用ＣＰＵ３１ａは、飾り図柄の変動表示を開始させて図柄変動ゲームを開始させるように演出表示装置１１を制御する。また、演出制御用ＣＰＵ３１ａは、計測した経過時間、及び特定演出用の画像表示用データをもとに演出表示装置１１を制御し、図柄変動ゲームの実行中に特定演出（連続演出）を実行させる。したがって、本実施形態では、演出制御用ＣＰＵ３１ａが特定演出制御手段として機能する。
【００８１】
また、演出制御用ＣＰＵ３１ａは、計測した経過時間、及び発光演出用データをもとに履歴表示装置Ｌ（発光部Ｌ１〜Ｌ４）を制御し、特定演出の実行に伴って画像表示された球体画像Ｇｇに対応する発光色（青色、緑色、又は赤色）に変化させる。このとき、演出制御用ＣＰＵ３１ａは、発光色を変化させる発光部として特定した発光部のみについて発光色を変化させ、その他の発光部の発光色を変化させずに維持させる。すなわち、本実施形態では、今回の図柄変動ゲームで発光色を変化させる発光部を、他の発光部から独立させて発光色を変化させる（特定演出情報を提示させる）。また、演出制御用ＣＰＵ３１ａは、各変動パターンに示される変動時間の終了時に、生成した大当り図柄又ははずれ図柄を一旦停止表示させるとともに、図柄停止コマンドの入力を契機として確定停止表示させる。
【００８２】
また、演出制御用ＣＰＵ３１ａは、図柄停止コマンドを入力すると、演出フラグの値を−１（１減算）する。演出制御用ＣＰＵ３１ａは、演出フラグの値を減算した結果、演出フラグの値が「０（零）」となった場合（設定が解除された場合）、履歴表示装置Ｌを構成する全ての発光部Ｌ１〜Ｌ４の発光色を白色に変化させるように各発光部Ｌ１〜Ｌ４を制御するとともに、発光制御フラグに「００Ｈ」を設定する。したがって、本実施形態の履歴表示装置Ｌでは、図柄変動ゲームにおいて特定演出の履歴（特定演出情報）が提示されると、その特定演出の履歴が連続演出の対象とされた図柄変動ゲームのうち最終回の図柄変動ゲームが終了する迄の間、継続して提示される。なお、演出制御用ＣＰＵ３１ａは、大当り遊技の開始（オープニングコマンドの入力）を契機として保留記憶数１〜４に対応付けた演出記憶領域に記憶されている演出制御フラグに「００Ｈ」を設定して全てクリア（消去）する。また、演出制御用ＣＰＵ３１ａは、大当り遊技の開始（オープニングコマンドの入力）を契機として演出フラグに「０」を設定してクリアする。
【００８３】
また、演出制御用ＣＰＵ３１ａは、主制御用ＣＰＵ３０ａから保留記憶数コマンドを入力すると、該コマンドで指定された保留記憶数と等しい個数の保留球画像Ｇｈが画像表示されるように、演出表示装置１１の表示内容を制御する。この際、演出制御用ＣＰＵ３１ａは、保留記憶数コマンドの入力を契機として、演出制御用ＲＡＭ３１ｃにおいて保留記憶数１〜４に対応付けた演出記憶領域に演出制御フラグ「０１Ｈ〜０３Ｈ」の何れかが設定されているか否かを判定する。演出制御フラグ「０１Ｈ〜０３Ｈ」の何れかが設定されている場合、演出制御用ＣＰＵ３１ａは、演出制御フラグ「０１Ｈ〜０３Ｈ」が設定されている演出記憶領域に対応する保留記憶数に対応する保留球画像Ｇｈの表示態様を金色のキャラクタ画像となるように演出表示装置１１を制御し、対象報知演出を実行させる。これにより、本実施形態では、連続演出の対象とされた図柄変動ゲーム（始動保留球）が遊技者に報知される。
【００８４】
次に、本実施形態のパチンコ遊技機において、連続演出が実行される具体的態様について、図８及び図９にしたがって説明する。なお、図８では、先読みコマンドで保留記憶数４が指定されたことに伴って演出内容パターンＰｃ２（青→青→青→緑）が決定された状況を示す。また、図９では、先読みコマンドで保留記憶数４が指定されたことに伴って演出内容パターンＰｃ８（青→緑→緑→赤）が決定された状況を示す。この場合、演出表示装置１１では、連続演出の対象とされた図柄変動ゲームのうち、１回目の図柄変動ゲームが開始される迄、４つの保留球画像Ｇｈを用いて対象報知演出が行われ、４回の図柄変動ゲーム（始動保留球）を対象として連続演出が行なわれることが事前に報知される。
【００８５】
図８（ａ）に示すように、演出表示装置１１では、１回目の図柄変動ゲームの開始に伴って青色の球体画像Ｇｇが出現するとともに、履歴表示装置Ｌの発光部Ｌ１に向かって移動する様子が画像表示される（矢印Ｙ０，Ｙ１に示す）。そして、発光部Ｌ１では、白色から青色に発光色が変更され、１回目の図柄変動ゲームにおける特定演出の演出内容を示す特定演出情報が特定演出の履歴として提示される。この段階では、遊技者に対し、対象報知演出により残り３回の図柄変動ゲームを対象として連続演出（特定演出）が実行されることを認識させ、残る３回の図柄変動ゲームにおいて特定演出（緑）や特定演出（赤）が実行されることに期待させ得る。
【００８６】
図８（ｂ）に示すように、演出表示装置１１では、２回目の図柄変動ゲームの開始に伴って青色の球体画像Ｇｇが出現するとともに、履歴表示装置Ｌの発光部Ｌ２に向かって移動する様子が画像表示される（矢印Ｙ０，Ｙ２に示す）。そして、発光部Ｌ２では、白色から青色に発光色が変更され、２回目の図柄変動ゲームにおける特定演出の演出内容を示す特定演出情報が特定演出の履歴として提示される。このとき、発光部Ｌ１における発光色は、変化せずその提示内容が維持される。この段階では、遊技者に対し、対象報知演出により残り２回の図柄変動ゲームを対象として連続演出（特定演出）が実行されることを認識させ、残る２回の図柄変動ゲームにおいて特定演出（緑）や特定演出（赤）が実行されることに期待させ得る。
【００８７】
図８（ｃ）に示すように、演出表示装置１１では、３回目の図柄変動ゲームの開始に伴って青色の球体画像Ｇｇが出現するとともに、履歴表示装置Ｌの発光部Ｌ３に向かって移動する様子が画像表示される（矢印Ｙ０，Ｙ３に示す）。そして、発光部Ｌ３では、白色から青色に発光色が変更され、３回目の図柄変動ゲームにおける特定演出の演出内容を示す特定演出情報が特定演出の履歴として提示される。このとき、発光部Ｌ１，Ｌ２における発光色は、変化せずその提示内容が維持される。この段階では、遊技者に対し、対象報知演出により残り１回の図柄変動ゲームを対象として連続演出（特定演出）が実行されることを認識させ、残る１回の図柄変動ゲームにおいて特定演出（緑）や特定演出（赤）が実行されることに期待させ得る。
【００８８】
図８（ｄ）に示すように、演出表示装置１１では、４回目（最終回）の図柄変動ゲームの開始に伴って緑色の球体画像Ｇｇが出現するとともに、履歴表示装置Ｌの発光部Ｌ４に向かって移動する様子が画像表示される（矢印Ｙ０，Ｙ４に示す）。そして、発光部Ｌ４では、白色から緑色に発光色が変更され、４回目の図柄変動ゲームにおける特定演出の演出内容を示す特定演出情報が特定演出の履歴として提示される。このとき、発光部Ｌ１〜Ｌ３における発光色は、変化せずその提示内容が維持される。そして、各発光部Ｌ１〜Ｌ４では、最終回の図柄変動ゲームの終了（飾り図柄の確定停止表示）に伴って白色に発光色が変更され、特定演出の履歴がリセット（クリア）される。
【００８９】
図９（ａ）に示すように、演出表示装置１１では、１回目の図柄変動ゲームの開始に伴って青色の球体画像Ｇｇが出現するとともに、履歴表示装置Ｌの発光部Ｌ１に向かって移動する様子が画像表示される（矢印Ｙ０，Ｙ１に示す）。そして、発光部Ｌ１では、白色から青色に発光色が変更され、１回目の図柄変動ゲームにおける特定演出の演出内容を示す特定演出情報が特定演出の履歴として提示される。この段階では、遊技者に対し、対象報知演出により残り３回の図柄変動ゲームを対象として連続演出（特定演出）が実行されることを認識させ、残る３回の図柄変動ゲームにおいて特定演出（緑）や特定演出（赤）が実行されることに期待させ得る。
【００９０】
同様に、図９（ｂ）及び図９（ｃ）に示すように、演出表示装置１１では、各図柄変動ゲームの開始に伴って緑色の球体画像Ｇｇが出現するとともに、履歴表示装置Ｌの発光部Ｌ２，Ｌ３に向かって移動する様子が画像表示されるとともに、各図柄変動ゲームにおける特定演出の演出内容を示す特定演出情報が特定演出の履歴として提示される。この段階では、遊技者に対し、対象報知演出により連続演出（特定演出）が実行される残り回数を認識させ、残る図柄変動ゲームにおいて特定演出（赤）が実行されることに期待させ得る。
【００９１】
また、図９（ｄ）に示すように、演出表示装置１１では、４回目（最終回）の図柄変動ゲームの開始に伴って赤色の球体画像Ｇｇが出現するとともに、履歴表示装置Ｌの発光部Ｌ４に向かって移動する様子が画像表示される（矢印Ｙ０，Ｙ４に示す）。そして、発光部Ｌ４では、白色から赤色に発光色が変更され、４回目の図柄変動ゲームにおける特定演出の演出内容を示す特定演出情報が特定演出の履歴として提示される。このとき、発光部Ｌ１〜Ｌ３における発光色は、変化せずその提示内容が維持される。そして、各発光部Ｌ１〜Ｌ４では、最終回の図柄変動ゲームの終了（飾り図柄の確定停止表示）に伴って白色に発光色が変更され、特定演出の履歴がリセット（クリア）される。
【００９２】
図８の状況における履歴表示装置Ｌ（発光部Ｌ１〜Ｌ４）では、４回の図柄変動ゲーム（連続演出）を経て特定演出の履歴として「青，青，青，緑」が提示される一方で、図９の状況における履歴表示装置Ｌでは、特定演出の履歴として「青，緑，緑，赤」が提示される。このため、図８の状況において、遊技者は、履歴表示装置Ｌに提示された特定演出の履歴から、連続演出において１回の特定演出が緑色で実行されたことを容易に把握できる。一方、図９の状況において、遊技者は、履歴表示装置Ｌに提示された特定演出の履歴から、連続演出において３回の特定演出が緑色、又は赤色で実行された状況を把握できる。このため、図９の状況において、遊技者は、特定演出の履歴を総合することで、図８の状況と比較して最終回の図柄変動ゲームにおける大当り期待度が高いことを容易に、且つ直感的に認識できる。また、図９の状況において、遊技者は、連続演出において１回の特定演出が赤色で実行された状況から、図８の状況よりも最終回の図柄変動ゲームにおいて確変大当りとなる可能性が高いことを認識できる。
【００９３】
したがって、本実施形態によれば、以下のような効果を得ることができる。
（１）本実施形態では、連続演出の対象とされた各図柄変動ゲームにおける特定演出として画像表示された球体画像Ｇｇと同一色で履歴表示装置Ｌ（発光部Ｌ１〜Ｌ４）を点灯させ、特定演出の履歴（特定演出情報）を提示させる。このため、本実施形態では、履歴表示装置Ｌに提示された特定演出の履歴によって、過去、如何なる演出内容で特定演出が実行されたのかを容易に確認できる。したがって、本実施形態では、今回の連続演出における特定演出の履歴を総合して図柄変動ゲームの展開（最終回の図柄変動ゲームにおける大当り期待度、及び確変大当り期待度）を把握し易くできる。
【００９４】
（２）本実施形態では、履歴表示装置Ｌの発光部Ｌ１〜Ｌ４の発光色を変化させて特定演出の履歴（特定演出情報）を提示させた場合、その提示させた特定演出の履歴を最終回の図柄変動ゲームが終了（図柄が確定停止表示）する迄の間、継続して提示するようにした。したがって、本実施形態では、最終回の図柄変動ゲームにおける特定演出、すなわち最後の特定演出の演出内容と、それ迄に実行された特定演出の履歴とを総合して図柄変動ゲームの展開を把握し易くできる。
【００９５】
（３）本実施形態では、特定演出における球体画像Ｇｇそのものではなく、特定演出の演出内容の段階（球体画像Ｇｇの色）を特定演出情報として提示する。したがって、遊技者は、如何なる特定演出が実行されたかを履歴表示装置Ｌに提示された特定演出の履歴から容易に認識できるとともに、図柄変動ゲームの展開を把握し易くできる。
【００９６】
（４）本実施形態では、特定演出を画像表示するための演出表示装置１１とは別体の履歴表示装置Ｌによって特定演出の履歴を提示する。したがって、本実施形態では、特定演出と、特定演出の履歴とを明確に区別し、特定演出の履歴をより容易に把握することができる。
【００９７】
（５）本実施形態では、履歴表示装置Ｌを構成する各発光部Ｌ１〜Ｌ４と連続演出を構成する各図柄変動ゲームとを各別に対応付けるとともに、各発光部Ｌ１〜Ｌ４を他の発光部Ｌ１〜Ｌ４と独立させて所定色に発光させて特定演出情報を提示する。したがって、特定演出が実行された図柄変動ゲームと、特定演出の履歴と結びつけて容易に認識することができる。
【００９８】
（６）本実施形態では、演出表示装置１１の周囲を囲う装飾枠２０に履歴表示装置Ｌ（発光部Ｌ１〜Ｌ４）を設けた。このため、飾り図柄（図柄変動ゲーム）を画像表示する演出表示装置１１によって特定演出を実行できるとともに、演出表示装置１１の周囲に設けられた履歴表示装置Ｌ（発光部Ｌ１〜Ｌ４）を用いて特定演出の履歴を提示することができる。このため、演出表示装置１１に画像表示した特定演出（球体画像Ｇｇ）と、履歴表示装置Ｌによる特定演出の履歴の提示とを密接に関連付けて実行することができる。
【００９９】
（７）特に、本実施形態では、特定演出を球体画像Ｇｇが各発光部Ｌ１〜Ｌ４に向かって移動するように実行するため、遊技者に対し、特定演出の実行と特定演出の履歴の提示とをより関連付けられているように感じさせることができる。
【０１００】
（８）履歴表示装置Ｌは、記憶可能な始動保留球の上限数と同数である４つの発光部Ｌ１〜Ｌ４により構成した。このため、本実施形態では、連続演出の対象となる図柄変動ゲームの最大回数を発光部Ｌ１〜Ｌ４によって明示し、最大回数に達する迄、特定演出を伴う図柄変動ゲームが実行され、より多くの特定演出の履歴に基づいて図柄変動ゲームの展開を推測できることに対して、遊技者に期待させることができる。
【０１０１】
（９）特に、本実施形態では、始動保留球を記憶可能な上限数を超えた回数の図柄変動ゲームを対象として連続演出が実行されないように構成している。このため、連続演出の対象となる図柄変動ゲームの最大回数と、発光部Ｌ１〜Ｌ４の個数とをより厳密に一致させている。
【０１０２】
（１０）本実施形態では、演出表示装置１１に画像表示される保留球画像Ｇｈの表示態様を変化させることにより、連続演出の対象とされた図柄変動ゲーム（始動保留球）を遊技者に報知する。このため、遊技者に対し、連続演出の対象となる図柄変動ゲームの実行予定回数、すなわち、何回分の特定演出の履歴により図柄変動ゲームの展開を推測できるのかを事前に知らせ、連続演出に対する遊技者の興趣を向上させることができる。
【０１０３】
なお、上記実施形態は以下のように変更してもよい。
・  上記実施形態において、連続演出の対象とした図柄変動ゲーム毎に抽選により特定演出の演出内容を決定してもよい。この場合には、先読みコマンドの入力時に全ての図柄変動ゲームにおける特定演出の演出内容を決定してもよく、連続演出の対象とされた図柄変動ゲームの開始時（変動パターン指定コマンドの入力）毎に決定してもよい。
【０１０４】
・  上記実施形態において、１回の図柄変動ゲームを対象として単発の特定演出を実行するとともに、この特定演出が実行された図柄変動ゲームが終了する迄の間、特定演出の履歴を履歴表示装置Ｌにて提示させてもよい。この場合、演出制御用ＣＰＵ３１ａは、変動パターン指定コマンドを入力した場合であって、連続演出を非実行中である（演出フラグが設定されていない）ことを条件に、単発の特定演出の実行可否を決定すればよい。また、演出制御用ＣＰＵ３１ａは、先読みコマンドによって保留記憶数１が指定された場合に、単発の特定演出の実行可否を決定してもよい。このように構成すれば、特定演出が実行されても複数回の図柄変動ゲームを対象とした連続演出が行なわれないまま、大当り又ははずれとなる特定演出を実行することができる。
【０１０５】
・  上記実施形態において、主制御用ＣＰＵ３０ａは、現在の遊技状態が通常状態（非変短状態）であることを条件に先読みコマンド出力処理によって先読みコマンドを出力してもよい。すなわち、主制御用ＣＰＵ３０ａは、現在の遊技状態が変短状態である場合に、先読みコマンドを出力しないようにしてもよい。この場合、変短状態（通常状態）であるか否かは、作動フラグの値を参照して判定すればよい。このように構成すれば、演出制御用ＣＰＵ３１ａは、単に先読みコマンドの入力を契機に演出設定処理を実行するだけで、通常状態である場合にのみ連続演出を実行させ得る。
【０１０６】
・  上記実施形態において、各演出内容パターンには、連続演出の対象とされた各図柄変動ゲームで実行させる特定演出の演出内容として、直前の図柄変動ゲームにおける演出内容より低い確変大当り期待度、又は大当り期待度を設定した演出内容を設定してもよい。この場合、演出制御用ＣＰＵ３１ａは、連続演出の対象とされた図柄変動ゲームで実行させる各特定演出の演出内容として、連続演出の対象とされた図柄変動ゲームのうち他の図柄変動ゲームで実行させる特定演出の演出内容に係わらず特定演出の演出内容をそれぞれ決定する。また、演出制御用ＣＰＵ３１ａは、先読みコマンドで指定される変動内容が大当りの場合、はずれの場合と比較して保留記憶数分の図柄変動ゲームで実行させる各特定演出の演出内容として、特定演出（緑）又は特定演出（赤）の占める割合が高くなるように決定する。また、演出制御用ＣＰＵ３１ａは、先読みコマンドで指定される変動内容が確変大当りの場合、非確変大当りの場合と比較して保留記憶数分の図柄変動ゲームで実行させる各特定演出の演出内容として、保留記憶数分の図柄変動ゲームで実行させる各特定演出の演出内容として、特定演出（赤）の占める割合が高くなるように決定する。このように構成することで、連続演出の実行に伴って特定演出の演出内容が変化しない状況、期待度が降格する状況、及び期待度が昇格する状況が発生し得る。その一方で、本別例では、履歴表示装置Ｌによって特定演出の履歴を提示する。このため、本別例では、過去の特定演出の演出内容を含めて、特定演出の演出内容を総合して図柄変動ゲームの展開を遊技者に把握（推測）させ、連続演出に対する遊技者の興趣を向上できる。
【０１０７】
・  上記実施形態において、演出表示装置１１における１回の図柄変動ゲームにおいて、図柄が変動開始してから一旦停止表示される迄を１回とする変動サイクルを複数回、特定演出を伴わせて画像表示する擬似的な連続演出を実行可能に構成してもよい。この場合、変動パターンとして、２回の変動サイクルを含む変動内容を特定可能な変動パターン、３回の変動サイクルを含む変動内容を特定可能な変動パターン、４回の変動サイクルを含む変動内容を特定可能な変動パターンを設ける。また、演出制御用ＣＰＵ３１ａは、変動パターン指定コマンドにより、複数回の変動サイクルを含む変動内容を特定可能な変動パターンが指定された場合に、図７に示す連続演出振分用テーブルＴａを参照して各変動サイクルにおける特定演出の演出内容を決定する。なお、この場合には、先読みコマンドで指定される保留記憶数を変動パターンで指定される変動サイクルの回数に読み替えるとともに、先読みコマンドで指定される変動内容を変動パターンで指定される変動内容に読み替える。また、演出制御用ＣＰＵ３１ａは、変動パターン指定コマンドとともに入力する停止図柄指定コマンドにより、変動パターンで大当り変動が指定された場合に、確変大当りとなるか否かを認識する。
【０１０８】
そして、各変動サイクルにおける特定演出の演出内容を決定すると、演出制御用ＣＰＵ３１ａは、決定した演出内容にしたがって演出表示装置１１、及び履歴表示装置Ｌを制御して、特定演出の実行、及び特定演出の履歴の提示を行う。なお、演出制御用ＣＰＵ３１ａは、各変動サイクルにおいて特定演出が実行される毎に、今回の変動サイクルに対応付けられた発光部の発光色を変化させる。また、演出制御用ＣＰＵ３１ａは、今回の図柄変動ゲームの終了（図柄停止コマンドの入力）に伴って履歴表示装置Ｌ（発光部Ｌ１〜Ｌ４）の発光色を白色に変化させて特定演出の履歴をリセットする。この場合、１回の変動サイクルが単位変動演出となる。また、大当り判定、及び特別図柄の大当り図柄（大当りの種類）を決定する主制御用ＣＰＵ３０ａが、付与判定手段となる。また、複数回の変動サイクルを含む図柄変動ゲームが特殊変動演出となる。
【０１０９】
・  上記実施形態において、１回の図柄変動ゲーム（又は、上記別例（変形例）における１回の変動サイクル）において、複数回の特定演出を順次実行するとともに、特定演出の実行毎に、実行された特定演出の履歴を履歴表示装置Ｌにて提示してもよい。この場合、演出制御用ＣＰＵ３１ａは、各特定演出の演出内容として、変動パターンに示される変動内容をもとに大当り期待度の異なる複数種類の演出内容のうちから演出内容を決定すればよい。また、この特別演出は、演出表示装置１１（画像表示部ＧＨ）の一部、又は全部を覆う表示画像を複数段階にわたって切り替える表示演出（所謂、ステップアップ演出）として具体化してもよい。本別例では、各特定演出が単位遊技演出となり、複数回の特定演出によって特別演出が構成されるとともに、大当り判定、及び特別図柄の大当り図柄を決定する主制御用ＣＰＵ３０ａが付与判定手段となる。
【０１１０】
・  上記実施形態において、始動入賞口として遊技球が常時入球可能に構成された第１の始動口としての第１の始動入賞口と、開閉羽根１６が閉状態とされることで常には遊技球が入球不能であるとともに開閉羽根１６が開状態とされることで遊技球が入球可能となる第２の始動口としての第２の始動入賞口を備えてもよい。この場合、第１の始動入賞口への入球検知に基づき第１の図柄変動ゲームを実行するとともに、第２の始動入賞口への入球検知にもとづき第２の図柄変動ゲームを実行してもよい。
【０１１１】
また、第１の始動入賞口への入球検知に基づく第１の図柄変動ゲームは、第２の始動入賞口への入球検知に基づく第２の図柄変動ゲームの実行が第１の図柄変動ゲームよりも優先して実行されることにより、第２の図柄変動ゲームの実行が保留されていないことを条件に実行してもよい。そして、演出制御用ＣＰＵ３１ａは、連続演出の対象とされた第１の図柄変動ゲームに割り込ませて第２の図柄変動ゲームが実行される場合には、その割り込み実行される第２の図柄変動ゲームにおいて、特定演出が実行される可能性のあることを報知する報知演出としての前兆演出を実行させてもよい。前兆演出は、例えば、装飾部材ＲＹが発光する様子を模した効果画像（発光エフェクト画像）を演出表示装置１１に画像表示して行う。この場合、全ての特定演出は、前兆演出の実行に伴って実行するようにしてもよい。
【０１１２】
このように構成することで、第１の図柄変動ゲームを対象に連続演出を実行している場合において、第２の図柄変動ゲームが割り込み実行される場合、前兆演出を実行して連続演出が途切れることなく継続しているように感じさせることができる。また、割り込み実行される第２の図柄変動ゲームにおいて特定演出を実行することで、保留記憶数の上限数を超えた回数の図柄変動ゲームを対象に連続演出が実行されることを回避できる。
【０１１３】
・  上記実施形態において、特定演出の履歴（特定演出情報）は、特定演出情報を提示させてから、連続演出の対象とされた図柄変動ゲームのうち最終回の図柄変動ゲームにおいて、特定演出が終了する迄の間や、リーチが形成される迄の間、或いは飾り図柄の図柄組み合わせが一旦停止表示される迄の間にわたって提示してもよい。
【０１１４】
・  上記実施形態において、特定演出の態様は適宜変更してもよい。例えば、アラビア数字を模した画像（例えば１→２→３など）、所定のキャラクタを模した画像（例えばキャラクタＡ→Ｂ→Ｃなど）、飾り図柄の背後に重なるように画像表示させる背景画像（例えば朝→昼→夜など）を画像表示することによって実行してもよい。また、特定演出の演出内容の種類（段階数）は、２種類（２段階）としてもよく、４種類（４段階）以上としてもよい。
【０１１５】
・  上記実施形態において、特定演出は、演出表示装置１１とは別体に設けた演出装置（例えば発光ランプやスピーカなど）によって実行してもよい。
・  上記実施形態において、履歴表示装置Ｌで提示可能な特定演出の履歴の数は、２個又は３個としたり、５個以上に設定したりしてもよい。
【０１１６】
・  上記実施形態において、履歴表示装置Ｌは、機械式の表示器で構成してもよい。また、演出表示装置１１よりも小型の画像表示部を備えた液晶ディスプレイ式の表示器としてもよい。この場合には、特定演出として画像表示された球体画像Ｇｇをそのまま履歴表示装置Ｌに画像表示させてもよい。
【０１１７】
・  上記実施形態において、履歴表示装置Ｌを異なる箇所に設けてもよい。例えば、履歴表示装置Ｌは、ステージＳＴに隣接するように配設してもよく、始動入賞口１５を囲うように配設してもよい。また、履歴表示装置Ｌは、演出表示装置１１に画像表示して形成してもよい。ただし、特定演出の実行と、特定演出の履歴の提示とを明確に区別して遊技者に認識させる観点から、上記実施形態のように構成することが望ましい。
【０１１８】
・  上記実施形態において、連続演出の対象とされた図柄変動ゲーム（始動保留球）の報知（対象報知演出）を異なる態様により実行してもよい。例えば、保留球画像Ｇｈを点滅させたり、保留球画像Ｇｈによらずスピーカから出力する音声（楽曲）を変更して行ったりしてもよい。
【０１１９】
・  上記実施形態において、対象報知演出を実行しない構成としてもよい。
・  上記実施形態において、先読みコマンド出力処理で異なる内容を事前判定し、特定演出の履歴から異なる期待度を遊技者に把握させてもよい。例えば、特定演出の履歴によって、大当り遊技におけるラウンド規定回数が１５回である期待度を示してもよい。この場合、特別図柄の大当り図柄として、ラウンド規定回数として７回を規定した大当り遊技を付与する特別図柄ＺＣや、ラウンド規定回数として２ラウンドを規定するとともに１回のラウンド遊技時間（大入賞口１８の開放時間）をごく短時間（例えば０．０３２秒）に設定した大当り遊技を付与する特別図柄ＺＤを設ける。そして、この場合、先読みコマンド出力処理において、特別図柄の種類を事前判定するとともに、事前判定した特別図柄の種類に応じて先読みコマンドを出力する。また、演出制御用ＣＰＵ３１ａは、先読みコマンドで指定される大当り図柄（特別図柄）に応じて演出内容パターンを決定するようにすればよい。同様に、特定演出の履歴によって、変短状態が付与される図柄変動ゲームの回数が１００回である期待度を示してもよい。この場合、特別図柄の大当り図柄として、ラウンド規定回数として１５回を規定するとともに、変短状態を付与する図柄変動ゲームの回数として、３０回を規定した大当り遊技を付与する特別図柄ＺＥ、５０回を規定した大当り遊技を付与する特別図柄ＺＦを設ける。そして、演出制御用ＣＰＵ３１ａは、先読みコマンドで指定される大当り図柄（特別図柄）に応じて演出内容パターンを決定するようにすればよい。
【０１２０】
・  上記実施形態において、通常状態以外の遊技状態においても連続演出を実行可能に構成してもよい。例えば、確変状態において連続演出を実行する場合、先読みコマンド出力処理において、大当り判定用乱数の値と大当り判定値のうち非共通値とが一致するか否かの事前判定を併せて行い、対応する先読みコマンドを演出制御基板３１に出力する。そして、演出制御用ＣＰＵ３１ａは、現在の遊技状態が確変状態であることを条件として、非共通値と一致することを示す先読みコマンドの入力に基づき、連続演出を実行させる。なお、演出制御用ＣＰＵ３１ａは、主制御基板３０から入力する確変コマンド及び非確変コマンドによって、現在の遊技状態を把握するようにする。
【０１２１】
・  上記実施形態において、一旦停止表示させた仮の大当り図柄（飾り図柄）を再び変動表示させてから最終的な確定図柄を確定停止表示（導出）する再変動演出（再抽選演出）を実行可能に構成してもよい。この場合、演出制御用ＣＰＵ３１ａは、停止図柄指定コマンドで特別図柄ＺＢが指定されている場合、飾り図柄の大当り図柄として確変大当り及び非確変大当りの何れかであることを認識できる大当り図柄（以下、チャンス図柄と示す）を前記確定図柄として生成する。一方、演出制御用ＣＰＵ３１ａは、停止図柄指定コマンドで特別図柄ＺＡが指定されている場合、飾り図柄の大当り図柄としてチャンス図柄、及び確変大当りを認識できる大当り図柄の何れか前記確定図柄として生成する。そして、演出制御用ＣＰＵ３１ａは、飾り図柄の前記仮の大当り図柄として常にチャンス図柄を生成し、図柄変動ゲームを実行させる。なお、演出制御用ＣＰＵ３１ａは、最終回の図柄変動ゲームにおいて特別図柄ＺＡが指定されており、連続演出の対象とした各図柄変動ゲームにおける全ての特定演出の演出内容として特定演出（赤）が決定されている場合、確変大当りを認識できる大当り図柄を最終回の図柄変動ゲームにおける確定図柄として一義的に決定する。連続演出の対象とした各図柄変動ゲームにおける全ての特定演出の演出内容として特定演出（赤）が決定されているか否かは、演出設定処理において決定された演出内容パターンを演出制御用ＲＡＭ３１ｃに記憶させておくことで把握できる。
【０１２２】
・  上記実施形態において、演出表示装置１１は液晶ディスプレイ型としたが、ドットマトリクス型、有機ＥＬ型、プラズマディスプレイ型などとしてもよく、これらを組み合わせた表示装置を用いてもよい。
【０１２３】
・  上記実施形態において、演出表示装置１１を制御する表示制御基板、スピーカを制御する音声制御基板などのサブ制御基板を設けるとともに、各サブ制御基板を統括的に制御するサブ統括制御基板を備えたパチンコ遊技機や、主制御基板３０及び演出制御基板３１の機能を一体に備えた単一の制御基板を備えたパチンコ遊技機に具体化してもよい。
【０１２４】
次に、上記実施形態及び別例（変形例）から把握できる技術的思想について以下に追記する。
（イ）前記演出実行手段、及び特定演出実行手段は、前記図柄を表示する演出表示手段として兼用されており、前記履歴提示手段は、前記演出表示手段とは別体に形成されるとともに、前記演出表示手段を取り付けるための開口部を形成する枠体に設けられた。
【０１２５】
（ロ）前記付与判定手段は、前記始動口への入球検知時に、その入球検知に基づく遊技演出の実行に伴って前記有利な遊技状態が付与されるか否かを判定するようになっており、前記遊技演出は、前記図柄の変動開始から確定停止表示迄を１回として行われる図柄変動ゲームを含み、前記単位変動演出は、前記図柄変動ゲームである。
【０１２６】
（ハ）前記履歴提示部は、前記図柄変動ゲームの実行を保留可能な保留上限数と同数だけ設けられている。
（ニ）実行が保留されている図柄変動ゲームのうち、前記特殊変動演出の対象とされた図柄変動ゲームを報知する対象報知手段をさらに備えた。
【０１２７】
（ホ）前記始動口には、第１の始動口と、第２の始動口とを含み、前記第１の始動口への入球検知に基づく第１の図柄変動ゲームは、前記第２の始動口への入球検知に基づく第２の図柄変動ゲームの実行が前記第１の図柄変動ゲームよりも優先して実行されることにより、前記第２の図柄変動ゲームの実行が保留されていないことを条件に実行されるようになっており、前記特定演出は、前記特定演出が実行される可能性のあることを報知する報知演出の実行に伴って実行されるようになっており、前記特定演出制御手段は、前記特殊変動演出の対象とされた第１の図柄変動ゲームに割り込ませて前記第２の図柄変動ゲームが実行される場合には、その割り込み実行される第２の図柄変動ゲームにおいて前記報知演出を実行させる。
【０１２８】
（ヘ）始動口への入球検知に基づく図柄変動ゲームを実行するゲーム実行手段を備え、前記図柄変動ゲームの実行に伴って当りを認識できる図柄を導出した後に当り遊技状態を付与するとともに、前記図柄変動ゲームでは、前記図柄変動ゲームの実行に伴って前記当り遊技状態を含む遊技者に有利な遊技状態が付与される期待度を示す単位遊技演出を複数回にわたって連続して行なう特別演出が実行される遊技機であって、前記図柄変動ゲームの開始直前に、今回の図柄変動ゲームの実行に伴って前記有利な遊技状態が付与されるか否かを判定する付与判定手段と、前記付与判定手段の判定結果に基づいて、前記特別演出を構成する各単位遊技演出の演出内容として、前記期待度に応じて複数段階に設定された演出内容のうちから演出内容を決定する演出内容決定手段と、前記演出内容決定手段が決定した前記単位遊技演出の演出内容に基づいて特別演出実行手段を制御し、前記特別演出を実行させる特別演出制御手段と、前記単位遊技演出の実行に伴って、その実行された単位遊技演出の演出内容を示す演出情報を前記単位遊技演出の履歴として提示する履歴提示手段と、を備えた遊技機。
【符号の説明】
【０１２９】
１１…演出表示装置（演出実行手段、特定演出実行手段、対象報知手段、演出表示手段）、２０…装飾枠（枠体）、３０…主制御基板、３０ａ…主制御用ＣＰＵ（付与判定手段）、３１…演出制御基板、３１ａ…演出制御用ＣＰＵ（演出内容決定手段）、Ｌ…履歴表示装置（履歴提示手段）、Ｌ１〜Ｌ４…発光部（履歴提示部）。
【図１】
0005450341.tif 000002
【図２】
0005450341.tif 000003
【図３】
0005450341.tif 000004
【図４】
0005450341.tif 000005
【図５】
0005450341.tif 000006
【図６】
0005450341.tif 000007
【図７】
0005450341.tif 000008
【図８】
0005450341.tif 000009
【図９】
0005450341.tif 000010